(57)【要約】  一の実施形態に係る無線端末が備える制御部は、第１の方式と第２の方式との少なくとも一方に従って、Ｅ−ＵＴＲＡＮからＷＬＡＮへ又は前記ＷＬＡＮから前記Ｅ−ＵＴＲＡＮへのトラフィックステアリングを制御する。前記第１の方式では、前記制御部は、前記Ｅ−ＵＴＲＡＮの補助により前記トラフィックステアリングを制御する。前記第２の方式では、前記制御部は、前記Ｅ−ＵＴＲＡＮからの指示に応じて前記トラフィックステアリングを制御する。前記第１の方式において前記無線端末が前記トラフィックステアリングを実行するか否かの判定に用いる第１の補助情報を前記Ｅ−ＵＴＲＡＮから受信する受信部をさらに備える。前記第１の補助情報は、前記Ｅ−ＵＴＲＡＮによりブロードキャストで送信される。前記受信部は、前記無線端末が前記ＷＬＡＮ測定に用いるＷＬＡＮ測定設定を受信する。
2017018536.tif 000002
【特許請求の範囲】
【請求項１】
無線端末であって、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する制御部を備え、
前記制御部は、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御し、
前記トラフィックステアリングは、前記無線端末のトラフィックを一のネットワークから他のネットワークへ切り替えることを意味し、
前記第１の方式では、前記制御部は、前記Ｅ−ＵＴＲＡＮの補助により前記トラフィックステアリングを制御し、
前記第２の方式では、前記制御部は、前記Ｅ−ＵＴＲＡＮからの指示に応じて前記トラフィックステアリングを制御し、
前記第１の方式において前記無線端末が前記トラフィックステアリングを実行するか否かの判定に用いる第１の補助情報を前記Ｅ−ＵＴＲＡＮから受信する受信部をさらに備え、
前記第１の補助情報は、前記Ｅ−ＵＴＲＡＮによりブロードキャストで送信され、
前記受信部は、前記無線端末が前記ＷＬＡＮ測定に用いるＷＬＡＮ測定設定を受信する無線端末。
【請求項２】
前記制御部は、前記無線端末がＲＲＣアイドルモードであることに応じて、前記第１の方式に従って前記トラフィックステアリングを制御する請求項１に記載の無線端末。
【請求項３】
前記制御部は、前記指示を受信するまでは、前記第１の方式に従って前記トラフィックステアリングを制御する請求項１に記載の無線端末。
【請求項４】
前記制御部は、前記指示の受信に応じて、前記第１の方式に従った前記トラフィックステアリングの制御を停止する請求項３に記載の無線端末。
【請求項５】
前記制御部は、前記指示を前記第１の補助情報に基づく判定結果よりも優先する請求項１に記載の無線端末。
【請求項６】
前記制御部は、上位エンティティを有し、
前記指示は、前記Ｅ−ＵＴＲＡＮから前記ＷＬＡＮへの切り替えを示し、かつ、前記ＷＬＡＮに関する識別子を含み、
前記制御部は、前記ＷＬＡＮに関する識別子と共に前記Ｅ−ＵＴＲＡＮから前記ＷＬＡＮへの切り替えを示すインジケータを前記上位エンティティに通知する請求項１に記載の無線端末。
【請求項７】
前記上位エンティティは、前記インジケータの受信に応じて、前記Ｅ−ＵＴＲＡＮから前記ＷＬＡＮへ切り替えるか否かを判断する請求項６に記載の無線端末。
【請求項８】
前記第１の補助情報は、前記ＷＬＡＮに関する識別子を含み、
前記制御部は、前記ＷＬＡＮに関する識別子を用いて、前記ＷＬＡＮ及び前記Ｅ−ＵＴＲＡＮにおける無線品質に基づいて、前記トラフィックステアリングを制御する請求項１に記載の無線端末。
【請求項９】
前記制御部は、前記指示に応じて、前記Ｅ−ＵＴＲＡＮから前記ＷＬＡＮへの前記トラフィックステアリングを実行し、
前記指示に対する肯定応答又は否定応答を前記Ｅ−ＵＴＲＡＮへ送信する送信部をさらに備える請求項１に記載の無線端末。
【請求項１０】
前記ＷＬＡＮ測定設定は、前記ＷＬＡＮ測定対象であるＷＬＡＮの周波数と、前記ＷＬＡＮ測定対象に追加されるＷＬＡＮの識別子のリストと、前記ＷＬＡＮ測定対象から削除されるＷＬＡＮの識別子のリストと、を含む請求項１に記載の無線端末。
【請求項１１】
前記ＷＬＡＮの周波数は、２．５ＧＨｚの周波数と５ＧＨｚの周波数とを含む請求項１０に記載の無線端末。
【請求項１２】
前記第１の方式は、前記無線端末が、前記第１の補助情報を用いて、前記ＷＬＡＮ及び前記Ｅ−ＵＴＲＡＮにおける無線品質に基づいて、前記トラフィックステアリングの制御を前記基地局からの指示が無くとも開始する方式であって、
前記第２の方式は、前記無線端末が、前記基地局からのトラフィックステアリングの指示を契機として、前記トラフィックステアリングの制御を開始する方式である請求項１に記載の無線端末。
【請求項１３】
無線端末を制御するためのプロセッサであって、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する処理を実行し、
前記処理において、
第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御し、
前記トラフィックステアリングは、前記無線端末のトラフィックを一のネットワークから他のネットワークへ切り替えることを意味し、
前記第１の方式では、前記Ｅ−ＵＴＲＡＮの補助により前記トラフィックステアリングを制御し、
前記第２の方式では、前記Ｅ−ＵＴＲＡＮからの指示に応じて前記トラフィックステアリングを制御し、
前記プロセッサは、
前記第１の方式において前記無線端末が前記トラフィックステアリングを実行するか否かの判定に用いる第１の補助情報を前記Ｅ−ＵＴＲＡＮから受信する処理と、
前記無線端末が前記ＷＬＡＮ測定に用いるＷＬＡＮ測定設定を受信する処理と、を実行し、
前記第１の補助情報は、前記Ｅ−ＵＴＲＡＮによりブロードキャストで送信されるプロセッサ。
【発明の詳細な説明】
【技術分野】
【０００１】
本開示は、無線端末及びプロセッサに関する。
【背景技術】
【０００２】
近年、無線広域ネットワーク（ＷＷＡＮ）通信及び無線狭域ネットワーク（ＷLＡＮ）通信の両通信方式に対応した無線端末の普及が進んでいる。そのような無線端末に対して高速・大容量の通信サービスを提供するために、ＷＷＡＮとＷLＡＮとの間の連携を強化させるための技術が検討されている。
【発明の概要】
【０００３】
一の実施形態に係る無線端末は、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する制御部を備える。前記制御部は、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御する。前記トラフィックステアリングは、前記無線端末のトラフィックを一のネットワークから他のネットワークへ切り替えることを意味する。前記第１の方式では、前記制御部は、前記Ｅ−ＵＴＲＡＮの補助により前記トラフィックステアリングを制御する。前記第２の方式では、前記制御部は、前記Ｅ−ＵＴＲＡＮからの指示に応じて前記トラフィックステアリングを制御する。前記第１の方式において前記無線端末が前記トラフィックステアリングを実行するか否かの判定に用いる第１の補助情報を前記Ｅ−ＵＴＲＡＮから受信する受信部をさらに備える。前記第１の補助情報は、前記Ｅ−ＵＴＲＡＮによりブロードキャストで送信される。前記受信部は、前記無線端末が前記ＷＬＡＮ測定に用いるＷＬＡＮ測定設定を受信する。
【０００４】
一の実施形態に係るプロセッサは、無線端末を制御するためのプロセッサである。前記プロセッサは、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する処理を実行する。前記処理において、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御する。前記トラフィックステアリングは、前記無線端末のトラフィックを一のネットワークから他のネットワークへ切り替えることを意味する。前記第１の方式では、前記Ｅ−ＵＴＲＡＮの補助により前記トラフィックステアリングを制御する。前記第２の方式では、前記Ｅ−ＵＴＲＡＮからの指示に応じて前記トラフィックステアリングを制御する。前記プロセッサは、前記第１の方式において前記無線端末が前記トラフィックステアリングを実行するか否かの判定に用いる第１の補助情報を前記Ｅ−ＵＴＲＡＮから受信する処理と、前記無線端末が前記ＷＬＡＮ測定に用いるＷＬＡＮ測定設定を受信する処理と、を実行する。前記第１の補助情報は、前記Ｅ−ＵＴＲＡＮによりブロードキャストで送信される。
【図面の簡単な説明】
【０００５】
【図１】実施形態に係る通信システムの構成を示す図である。
【図２】ＬＴＥシステムにおける無線インターフェイスのプロトコルスタック図である。
【図３】ＵＥ（無線端末）のブロック図である。
【図４】ｅＮＢ（ＷＷＡＮ対応基地局）のブロック図である。
【図５】端末主導方式を説明するための図である。
【図６】実施形態に係る基地局主導方式の動作パターン１Ａを示すシーケンス図である。
【図７】実施形態に係るＷＬＡＮ測定設定の構成を示す図である。
【図８】実施形態に係る基地局主導方式の動作パターン１ＡにおけるＷＬＡＮ測定設定の具体例を示す図である。
【図９】実施形態に係る基地局主導方式の動作パターン１Ｂを示すシーケンス図である。
【図１０】実施形態に係る基地局主導方式の動作パターン２Ａを示すシーケンス図である。
【図１１】実施形態に係る基地局主導方式の動作パターン２Ｂを示すシーケンス図である。
【図１２】実施形態に係る切り替え指示を受信したＵＥの動作を示すシーケンス図である。
【図１３】実施形態に係る端末主導方式及び基地局主導方式を併用する動作を説明するための図である。
【図１４】ステアリングコマンドの一例を説明するための図である。
【発明を実施するための形態】
【０００６】
［実施形態の概要］
一の実施形態に係る無線端末は、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する制御部を備える。前記制御部は、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御する。前記トラフィックステアリングは、前記無線端末のトラフィックを一のネットワークから他のネットワークへ切り替えることを意味する。前記第１の方式では、前記制御部は、前記Ｅ−ＵＴＲＡＮの補助により前記トラフィックステアリングを制御する。前記第２の方式では、前記制御部は、前記Ｅ−ＵＴＲＡＮからの指示に応じて前記トラフィックステアリングを制御する。前記第１の方式において前記無線端末が前記トラフィックステアリングを実行するか否かの判定に用いる第１の補助情報を前記Ｅ−ＵＴＲＡＮから受信する受信部をさらに備える。前記第１の補助情報は、前記Ｅ−ＵＴＲＡＮによりブロードキャストで送信される。前記受信部は、前記無線端末が前記ＷＬＡＮ測定に用いるＷＬＡＮ測定設定を受信する。
【０００７】
前記制御部は、前記無線端末がＲＲＣアイドルモードであることに応じて、前記第１の方式に従って前記トラフィックステアリングを制御してもよい。
【０００８】
前記制御部は、前記指示を受信するまでは、前記第１の方式に従って前記トラフィックステアリングを制御してもよい。
【０００９】
前記制御部は、前記指示の受信に応じて、前記第１の方式に従った前記トラフィックステアリングの制御を停止してもよい。
【００１０】
前記制御部は、前記指示を前記第１の補助情報に基づく判定結果よりも優先してもよい。
【００１１】
前記制御部は、上位エンティティを有してもよい。前記指示は、前記Ｅ−ＵＴＲＡＮから前記ＷＬＡＮへの切り替えを示し、かつ、前記ＷＬＡＮに関する識別子を含んでもよい。前記制御部は、前記ＷＬＡＮに関する識別子と共に前記Ｅ−ＵＴＲＡＮから前記ＷＬＡＮへの切り替えを示すインジケータを前記上位エンティティに通知してもよい。
【００１２】
前記上位エンティティは、前記インジケータの受信に応じて、前記Ｅ−ＵＴＲＡＮから前記ＷＬＡＮへ切り替えるか否かを判断してもよい。
【００１３】
前記第１の補助情報は、前記ＷＬＡＮに関する識別子を含んでもよい。前記制御部は、前記ＷＬＡＮに関する識別子を用いて、前記ＷＬＡＮ及び前記Ｅ−ＵＴＲＡＮにおける無線品質に基づいて、前記トラフィックステアリングを制御してもよい。
【００１４】
前記制御部は、前記指示に応じて、前記Ｅ−ＵＴＲＡＮから前記ＷＬＡＮへの前記トラフィックステアリングを実行してもよい。前記指示に対する肯定応答又は否定応答を前記Ｅ−ＵＴＲＡＮへ送信する送信部をさらに備えてもよい。
【００１５】
前記ＷＬＡＮ測定設定は、前記ＷＬＡＮ測定対象であるＷＬＡＮの周波数と、前記ＷＬＡＮ測定対象に追加されるＷＬＡＮの識別子のリストと、前記ＷＬＡＮ測定対象から削除されるＷＬＡＮの識別子のリストと、を含んでもよい。
【００１６】
前記ＷＬＡＮの周波数は、２．５ＧＨｚの周波数と５ＧＨｚの周波数とを含んでもよい。
【００１７】
一の実施形態に係るプロセッサは、無線端末を制御するためのプロセッサである。前記プロセッサは、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する処理を実行する。前記処理において、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御する。前記トラフィックステアリングは、前記無線端末のトラフィックを一のネットワークから他のネットワークへ切り替えることを意味する。前記第１の方式では、前記Ｅ−ＵＴＲＡＮの補助により前記トラフィックステアリングを制御する。前記第２の方式では、前記Ｅ−ＵＴＲＡＮからの指示に応じて前記トラフィックステアリングを制御する。前記プロセッサは、前記第１の方式において前記無線端末が前記トラフィックステアリングを実行するか否かの判定に用いる第１の補助情報を前記Ｅ−ＵＴＲＡＮから受信する処理と、前記無線端末が前記ＷＬＡＮ測定に用いるＷＬＡＮ測定設定を受信する処理と、を実行する。前記第１の補助情報は、前記Ｅ−ＵＴＲＡＮによりブロードキャストで送信される。
【００１８】
なお、本明細書は、以下の内容を含む。
【００１９】
一の実施形態に係る無線端末は、無線広域ネットワーク（ＷＷＡＮ）対応基地局とのＷＷＡＮによる通信を行ってもよい。前記無線端末は、前記無線端末のデータの通信に用いられるネットワークとしてＷＷＡＮ又は無線狭域ネットワーク（ＷＬＡＮ）を選択するネットワーク選択を前記無線端末が自律的に行う端末主導方式と、前記無線端末のＷＬＡＮ測定の結果に基づいて前記ネットワーク選択を前記ＷＷＡＮ対応基地局が行う基地局主導方式との少なくともいずれか一の方式によって選択されたネットワークを用いて前記データの通信を行う制御部を備えてもよい。前記制御部は、前記ＷＷＡＮ対応基地局からブロードキャストシグナリングにより送信され、前記端末主導方式において前記無線端末が用いる第１の補助情報を受信する処理と、前記ＷＷＡＮ対応基地局から前記無線端末宛ての専用シグナリングにより送信され、前記基地局主導方式において前記無線端末が前記ＷＬＡＮ測定に用いるＷＬＡＮ測定設定を受信する処理と、を行ってもよい。
【００２０】
前記無線端末が前記ＷＷＡＮのアイドルモードである場合、前記制御部は、前記第１の補助情報に基づいて前記端末主導方式の前記ネットワーク選択を行ってもよい。
【００２１】
前記無線端末が前記ＷＷＡＮのコネクティッドモードである場合、前記制御部は、所定のＷＬＡＮアクセスポイントグループ内において前記第１の補助情報に基づいて前記端末主導方式の前記ネットワーク選択を行う。前記所定のＷＬＡＮアクセスポイントグループは、少なくとも１つのＷＬＡＮ対応アクセスポイントを含んでもよい。
【００２２】
前記制御部は、前記所定のＷＬＡＮアクセスポイントグループとは異なるＷＬＡＮアクセスポイントグループを発見した場合、前記ＷＬＡＮ測定設定に基づいて前記基地局主導方式の前記ＷＬＡＮ測定を行ってもよい。
【００２３】
前記制御部は、前記異なるＷＬＡＮアクセスポイントグループを発見するまでは、前記ＷＬＡＮ測定設定に基づく前記基地局主導方式の前記ＷＬＡＮ測定を禁止してもよい。
【００２４】
前記無線端末が前記ＷＷＡＮのコネクティッドモードにおいて前記ＷＬＡＮ測定設定を受信した場合、前記制御部は、前記第１の補助情報に基づく前記端末主導方式の前記ネットワーク選択を適用せずに、前記ＷＬＡＮ測定設定に基づいて前記基地局主導方式の前記ＷＬＡＮ測定を行ってもよい。
【００２５】
前記第１の補助情報及び前記ＷＬＡＮ測定設定のそれぞれは、ＷＬＡＮ識別子を含む。前記無線端末が前記ＷＷＡＮのコネクティッドモードである場合、前記制御部は、前記第１の補助情報に含まれるＷＬＡＮ識別子のうち、前記ＷＬＡＮ測定設定と重複するＷＬＡＮ識別子について、前記第１の補助情報に基づく前記端末主導方式の前記ネットワーク選択を適用しないよう制御してもよい。
【００２６】
前記ＷＷＡＮ対応基地局から前記無線端末宛ての専用シグナリングにより送信され、前記端末主導方式に用いられる第２の補助情報を受信する処理をさらに行ってもよい。
【００２７】
ＷＬＡＮ対応アクセスポイント間の切り替えを前記無線端末が自律的に行うことができるＷＬＡＮアクセスポイントグループが規定されている。前記無線端末が前記ＷＷＡＮのコネクティッドモードである場合、前記制御部は、所定のＷＬＡＮアクセスポイントグループ内において前記第２の補助情報に基づいて前記端末主導方式の前記ネットワーク選択を行ってもよい。
【００２８】
前記制御部は、前記所定のＷＬＡＮアクセスポイントグループとは異なるＷＬＡＮアクセスポイントグループを発見した場合、前記ＷＬＡＮ測定設定に基づいて前記基地局主導方式の前記ＷＬＡＮ測定を行ってもよい。
【００２９】
前記無線端末が前記ＷＷＡＮのコネクティッドモードである場合、前記制御部は、前記ＷＬＡＮ測定設定に基づく前記ＷＬＡＮ測定の結果を前記ＷＷＡＮ対応基地局に報告する条件が満たされた後、前記第１の補助情報又は前記第２の補助情報に基づく前記端末主導方式の前記ネットワーク選択を適用しないよう制御してもよい。
【００３０】
一の実施形態に係る無線端末は、無線広域ネットワーク（ＷＷＡＮ）基地局とのＷＷＡＮによる通信を行ってもよい。前記無線端末は、前記無線端末のデータの通信に用いられるネットワークとしてＷＷＡＮ及び無線狭域ネットワーク（ＷＬＡＮ）のいずれかを選択するネットワーク選択を前記無線端末が自律的に行う端末主導方式と、前記無線端末のＷＬＡＮ測定の結果に基づいて前記ネットワーク選択を前記ＷＷＡＮ対応基地局が行う基地局主導方式との少なくともいずれか一の方式によって選択されたネットワークを用いて前記データの通信を行う制御部を備えてもよい。前記制御部は、前記端末主導方式において前記無線端末が用いる補助情報の送信又は前記基地局主導方式において前記無線端末が用いるＷＬＡＮ測定設定の送信を要求する要求情報を前記ＷＷＡＮ対応基地局に送信する処理を行ってもよい。
【００３１】
前記要求情報は、前記端末主導方式及び前記基地局主導方式のうち少なくとも一方を指定する情報を含んでもよい。
【００３２】
一の実施形態に係るＷＷＡＮ対応基地局は、無線端末との無線広域ネットワーク（ＷＷＡＮ）通信を行ってもよい。前記ＷＷＡＮ対応基地局は、前記無線端末のデータの通信に用いられるネットワークとしてＷＷＡＮ又は無線狭域ネットワーク（ＷＬＡＮ）を選択するネットワーク選択を前記無線端末が自律的に行う端末主導方式と、前記無線端末のＷＬＡＮ測定の結果に基づいて前記ネットワーク選択を前記ＷＷＡＮ対応基地局が行う基地局主導方式との少なくともいずれか一の方式によって選択されたネットワークを用いて前記データの通信を行う制御部を備えてもよい。前記制御部は、前記端末主導方式において前記無線端末が用いる第１の補助情報をブロードキャストシグナリングにより送信する処理と、前記基地局主導方式において前記無線端末が前記ＷＬＡＮ測定に用いるＷＬＡＮ測定設定を前記無線端末宛ての専用シグナリングにより送信する処理と、を行ってもよい。
【００３３】
前記制御部は、前記ＷＬＡＮ測定設定の送信を要求する要求情報を前記無線端末から受信したことに応じて、前記ＷＬＡＮ測定設定を前記無線端末宛ての専用シグナリングにより送信してもよい。
【００３４】
前記制御部は、前記端末主導方式において前記無線端末が用いる第２の補助情報を前記無線端末宛ての専用シグナリングにより送信する処理をさらに行ってもよい。
【００３５】
前記制御部は、前記第２の補助情報の送信を要求する要求情報を前記無線端末から受信したことに応じて、前記第２の補助情報を前記無線端末宛ての専用シグナリングにより送信してもよい。
【００３６】
［実施形態］
以下において、実施形態について説明する。
【００３７】
実施形態において、ＷＷＡＮシステムがＬＴＥ（Ｌｏｎｇ  Ｔｅｒｍ  Ｅｖｏｌｕｔｉｏｎ）システムである一例を説明する。ＬＴＥシステムは、標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において仕様が策定されているシステムである。
【００３８】
（システム構成）
図１は、実施形態に係る通信システムの構成を示す図である。
【００３９】
図１に示すように、実施形態に係る通信システムは、ＵＥ（Ｕｓｅｒ  Ｅｑｕｉｐｍｅｎｔ）１００、ｅＮＢ（ｅｖｏｌｖｅｄ  Ｎｏｄｅ−Ｂ）２００、ＷＬＡＮ対応アクセスポイント（ＷＬＡＮ  ＡＰ）３００、ＷＴ（ＷＬＡＮ  Ｔｅｒｍｉｎａｔｉｏｎ）４００、及びＥＰＣ（Ｅｖｏｌｖｅｄ  Ｐａｃｋｅｔ  Ｃｏｒｅ）５００を備える。ＵＥ１００は、無線端末に相当する。ｅＮＢ２００は、ＷＷＡＮ対応基地局に相当する。ｅＮＢ２００及びＥＰＣ５００は、ＷＷＡＮ（ＬＴＥネットワーク）を構成する。ＷＬＡＮ  ＡＰ３００及びＷＴ４００は、ＷＬＡＮを構成する。但し、通信システムは、ＷＴ４００を備えていなくてもよい。
【００４０】
ＵＥ１００は、ＷＷＡＮ通信（ＬＴＥ通信）及びＷLＡＮ通信の両通信方式に対応した移動型の装置である。ＵＥ１００は、ＷＷＡＮ・ＷＬＡＮ協調技術をサポートする。ＵＥ１００の構成については後述する。
【００４１】
ｅＮＢ２００は、１又は複数のセルを管理し、自セルに接続したＵＥ１００とのＬＴＥ通信を行う装置である。ＵＥ１００の構成については後述する。
【００４２】
ｅＮＢ２００は、Ｅ−ＵＴＲＡＮ（Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を構成する。ｅＮＢ２００は、Ｘ２インターフェイスを介して隣接ｅＮＢと接続される。ｅＮＢ２００は、無線リソース管理（ＲＲＭ）機能、ユーザデータ（以下、単に「データ」という）のルーティング機能、モビリティ制御・スケジューリングのための測定制御機能等を有する。ｅＮＢ２００の構成については後述する。なお、「セル」は、無線通信エリア（カバレッジ）の最小単位を示す用語として用いられる他に、ＵＥ１００との無線通信を行う機能を示す用語としても用いられる。
【００４３】
ＷＬＡＮ  ＡＰ３００は、自ＡＰに接続したＵＥ１００とのＷＬＡＮ通信を行う装置である。図１において、ｅＮＢ２００のセルカバレッジ内に４つのＷＬＡＮ  ＡＰ３００−１乃至３００−４が設けられる一例を示している。なお、ｅＮＢ２００がＷＬＡＮ  ＡＰの機能も有していてもよい。そのようなシナリオは、Ｃｏｌｌｏｃａｔｅｄシナリオと称される。
【００４４】
ＷＴ４００は、ｅＮＢ２００との直接的なインターフェイスであるＸｗインターフェイスを終端する装置である。ＷＴ４００は、複数のＷＬＡＮ  ＡＰ３００を収容する。図１において、ＷＴ４００−１が２つのＷＬＡＮ  ＡＰ３００−１及び３００−２を収容し、かつ、ＷＴ４００−２が２つのＷＬＡＮ  ＡＰ３００−３及び３００−４を収容する一例を示している。
【００４５】
また、実施形態において、ＷＬＡＮ  ＡＰ３００−１及び３００−２は、ＷＬＡＮ  ＡＰグループＡを構成する。ＷＬＡＮ  ＡＰ３００−３及び３００−４は、ＷＬＡＮ  ＡＰグループＢを構成する。図１において、ＷＬＡＮ  ＡＰグループが、同一のＷＴ４００に収容されるＷＬＡＮ  ＡＰ３００により構成される一例を示している。しかしながら、ＷＬＡＮ  ＡＰグループは、異なるＷＴ４００に収容されるＷＬＡＮ  ＡＰ３００により構成されてもよい。
【００４６】
ここで、ＷＬＡＮ  ＡＰグループとは、ｅＮＢ２００の指示に依存せずにＷＬＡＮ  ＡＰ３００間の切り替え制御をＵＥ１００が自律的に行うことができるグループである。ＵＥ１００は、ＷＬＡＮモビリティ制御機能を用いて、ｅＮＢ２００にからの指示が無くとも、同一のＷＬＡＮ  ＡＰグループ内の一のＷＬＡＮ  ＡＰから他のＷＬＡＮ  ＡＰへＷＬＡＮ通信を切り替えることができる。一方、異なるＷＬＡＮ  ＡＰグループ間の切り替えについてはｅＮＢ２００が制御する。
【００４７】
ＥＰＣ５００は、Ｓ１インターフェイスを介してｅＮＢ２００と接続される。ＥＰＣ５００は、コアネットワークに相当する。ＥＰＣ５００は、ＭＭＥ（Ｍｏｂｉｌｉｔｙ  Ｍａｎａｇｅｍｅｎｔ  Ｅｎｔｉｔｙ）及びＳ−ＧＷ（Ｓｅｒｖｉｎｇ−Ｇａｔｅｗａｙ）を含む。ＭＭＥは、ＵＥ１００に対する各種モビリティ制御等を行う。Ｓ−ＧＷは、データの転送制御を行う。
【００４８】
（ＬＴＥプロトコル）
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４９】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００５０】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００５１】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００５２】
ＰＤＣＰ層は、ヘッダ圧縮・伸張、及び暗号化・復号化を行う。
【００５３】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。ＲＲＣコネクティッドモードはＷＷＡＮのコネクティッドモードに相当し、ＲＲＣアイドルモードはＷＷＡＮのアイドルモードに相当する。
【００５４】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００５５】
物理層、ＭＡＣ層、ＲＬＣ層、ＰＤＣＰ層、及びＲＲＣ層は、ＡＳ（Ａｃｃｅｓｓ  Ｓｔｒａｔｕｍ）層を構成する。実施形態において、ＡＳ層は、ｅＮＢ２００（ＷＷＡＮ対応基地局）とのＬＴＥ通信（ＷＷＡＮ通信）を行う第１のエンティティに相当する。
【００５６】
（無線端末の構成）
図３は、ＵＥ１００（無線端末）のブロック図である。図３に示すように、ＵＥ１００は、ＬＴＥ通信部（ＷＷＡＮ通信部）１１０、ＷＬＡＮ通信部１２０、及び制御部１３０を備える。
【００５７】
ＬＴＥ通信部１１０は、制御部１３０の制御下でＬＴＥ通信を行う。ＬＴＥ通信部１１０は、ＬＴＥプロトコルの一部を実行してもよい。ＬＴＥ通信部１１０は、アンテナ、送信機、及び受信機を含む。送信機は、制御部１３０が出力するベースバンド信号（送信信号）をＬＴＥ無線信号に変換してアンテナから送信する。受信機は、アンテナが受信するＬＴＥ無線信号をベースバンド信号（受信信号）に変換して制御部１３０に出力する。なお、ＬＴＥ通信は、ライセンスバンドにおいて行われることが一般的である。
【００５８】
ＷＬＡＮ通信部１２０は、制御部１３０の制御下でＷＬＡＮ通信を行う。ＷＬＡＮ通信部１２０は、ＷＬＡＮプロトコルの一部を実行してもよい。ＷＬＡＮ通信部１２０は、アンテナ、送信機、及び受信機を含む。送信機は、制御部１３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部１３０に出力する。なお、ＷＬＡＮ通信は、アンライセンスバンドにおいて行われることが一般的である。
【００５９】
制御部１３０は、ＵＥ１００における各種の制御を行う。制御部１３０は、ＬＴＥプロトコルの一部を実行してもよいし、ＷＬＡＮプロトコルの一部を実行してもよい。制御部１３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００６０】
（基地局の構成）
図４は、ｅＮＢ２００（基地局）のブロック図である。図４に示すように、ｅＮＢ２００は、ＬＴＥ通信部（ＷＷＡＮ通信部）２１０、制御部２３０、及びバックホール通信部２４０を備える。但し、Ｃｏｌｌｏｃａｔｅｄシナリオの場合、ｅＮＢ２００は、ＷＬＡＮ通信部２２０を備えていてもよい。
【００６１】
ＬＴＥ通信部２１０は、制御部２３０の制御下でＬＴＥ通信を行う。ＬＴＥ通信部２１０は、ＬＴＥプロトコルの一部を実行してもよい。ＬＴＥ通信部２１０は、アンテナ、送信機、及び受信機を含む。送信機は、制御部２３０が出力するベースバンド信号（送信信号）をＬＴＥ無線信号に変換してアンテナから送信する。受信機は、アンテナが受信するＬＴＥ無線信号をベースバンド信号（受信信号）に変換して制御部２３０に出力する。
【００６２】
ＷＬＡＮ通信部２２０は、制御部２３０の制御下でＷＬＡＮ通信を行う。ＷＬＡＮ通信部２２０は、ＷＬＡＮプロトコルの一部を実行してもよい。ＷＬＡＮ通信部２２０は、アンテナ、送信機、及び受信機を含む。送信機は、制御部２３０が出力するベースバンド信号（送信信号）をＷＬＡＮ無線信号に変換してアンテナから送信する。受信機は、アンテナが受信するＷＬＡＮ無線信号をベースバンド信号（受信信号）に変換して制御部２３０に出力する。
【００６３】
制御部２３０は、ｅＮＢ２００における各種の制御を行う。制御部２３０は、ＬＴＥプロトコルの一部を実行してもよいし、ＷＬＡＮプロトコルの一部を実行してもよい。制御部２３０は、プロセッサ及びメモリを含む。メモリは、プロセッサにより実行されるプログラム、及びプロセッサによる処理に用いられる情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含んでもよい。プロセッサは、後述する各種の処理を実行する。
【００６４】
バックホール通信部２４０は、Ｘ２インターフェイスを介して隣接ｅＮＢ２００と接続され、Ｓ１インターフェイスを介してＥＰＣ５００（ＭＭＥ／Ｓ−ＧＷ）と接続され、Ｘｗインターフェイスを介してＷＴ４００と接続される。バックホール通信部２４０は、Ｘ２インターフェイス上で行う通信、Ｓ１インターフェイス上で行う通信、Ｘｗインターフェイス上で行う通信等に用いられる。
【００６５】
（ネットワーク選択動作）
実施形態に係る通信システムは、ＵＥ１００のデータについてＷＷＡＮ（Ｅ−ＵＴＲＡＮ）及びＷＬＡＮの中から通信対象ネットワークを選択するネットワーク選択動作（Ａｃｃｅｓｓ  Ｎｅｔｗｏｒｋ  Ｓｅｌｅｃｔｉｏｎ）を行う。ネットワーク選択動作には、ＵＥ１００が通信対象ネットワークを選択する端末主導方式と、ｅＮＢ２００が通信対象ネットワークを選択する基地局主導方式と、がある。
【００６６】
端末主導方式は、３ＧＰＰ規格のリリース１２において導入されているため、リリース１２方式と称されてもよい。これに対し、基地局主導方式は、３ＧＰＰ規格のリリース１３において導入が予定されているため、リリース１３方式と称されてもよい。
【００６７】
（１）端末主導方式
端末主導方式において、ＲＲＣコネクティッド状態又はＲＲＣアイドル状態のＵＥ１００は、Ｅ−ＵＴＲＡＮ及びＷＬＡＮの中から通信対象ネットワークを選択し、Ｅ−ＵＴＲＡＮとＷＬＡＮとの間で双方向の切り替え（ｔｒａｆｆｉｃ  ｓｔｅｅｒｉｎｇ）を行う。当該切り替えは、Ｅ−ＵＴＲＡＮの補助により、ＵＥ主導（ＵＥ  ｂａｓｅｄ）で行われる。また、当該切り替えは、ＡＰＮ（Ａｃｃｅｓｓ  Ｐｏｉｎｔ  Ｎａｍｅ）単位で行われる。
【００６８】
図５は、端末主導方式を説明するための図である。
【００６９】
図５に示すように、ステップＳ１１において、ｅＮＢ２００は、ブロードキャストＲＲＣシグナリング又は専用（ｄｅｄｉｃａｔｅｄ）ＲＲＣシグナリングにより、補助情報（ＲＡＮ  ａｓｓｉｓｔａｎｃｅ  ｐａｒａｍｅｔｅｒｓ）をＵＥ１００に送信する。ブロードキャストＲＲＣシグナリングは、例えばＳＩＢ（Ｓｙｓｔｅｍ  Ｉｎｆｏｒｍａｔｉｏｎ  Ｂｌｏｃｋ）タイプ１７である。専用ＲＲＣシグナリングは、例えば「ＲＲＣ  Ｃｏｎｎｅｃｔｉｏｎ  Ｒｅｃｏｎｆｉｇｕｒａｔｉｏｎ」メッセージである。
【００７０】
補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ネットワーク選択動作の対象となるＷＬＡＮ識別子を含んでもよい。ＷＬＡＮ識別子は、ＳＳＩＤ（Ｓｅｒｖｉｃｅ  Ｓｅｔ  Ｉｄｅｎｔｉｆｉｅｒ）、ＨＥＳＳＩＤ（Ｈｏｍｏｇｅｎｅｏｕｓ  Ｅｘｔｅｎｄｅｄ  Ｓｅｒｖｉｃｅ  Ｓｅｔ  Ｉｄｅｎｔｉｆｉｅｒ）、又はＢＳＳＩＤ（Ｂａｓｉｃ  Ｓｅｒｖｉｃｅ  Ｓｅｔ  Ｉｄｅｎｔｉｆｉｅｒ）等である。補助情報は、閾値（判定条件）が満たされるべき期間を指定するパラメータを含んでもよい。ＵＥ１００は、補助情報を受信し、受信した補助情報を記憶する。
【００７１】
ステップＳ１２において、ＵＥ１００は、ネットワーク選択動作を行う。
【００７２】
先ず、Ｅ−ＵＴＲＡＮからＷＬＡＮへの切り替えについて説明する。ＵＥ１００は、Ｅ−ＵＴＲＡＮに関する第１の判定条件及びＷＬＡＮに関する第２の判定条件に基づいて、Ｅ−ＵＴＲＡＮからＷＬＡＮに切り替えるか否かの切り替え判定を行う。具体的には、第１の判定条件及び第２の判定条件の両方が満たされた場合、ＵＥ１００は、Ｅ−ＵＴＲＡＮからＷＬＡＮへの切り替えを行う。
【００７３】
第１の判定条件は、Ｅ−ＵＴＲＡＮサービングセルに対する以下の条件である。
【００７４】
RSRPmeas < ThreshServingOffloadWLAN, LowP; or
RSRQmeas < ThreshServingOffloadWLAN, LowQ
【００７５】
ここで、「ＲＳＲＰｍｅａｓ」はＵＥ１００で測定するＬＴＥ参照信号の受信電力、すなわち参照信号受信電力（ＲＳＲＰ）である。「ＲＳＲＱｍｅａｓ」はＵＥ１００で測定するＬＴＥ参照信号の受信品質、すなわち参照信号受信品質（ＲＳＲＱ）である。「ＴｈｒｅｓｈＳｅｒｖｉｎｇＯｆｆｌｏａｄＷＬＡＮ，ＬｏｗＰ」及び「ＴｈｒｅｓｈＳｅｒｖｉｎｇＯｆｆｌｏａｄＷＬＡＮ，ＬｏｗＱ」は、補助情報に含まれている閾値である。
【００７６】
第２の判定条件は、ターゲットＷＬＡＮに対する以下の条件である。
【００７７】
ChannelUtilizationWLAN < ThreshChUtilWLAN, Low; and
BackhaulRateDlWLAN > ThreshBackhRateDLWLAN, High; and
BackhaulRateUlWLAN > ThreshBackhRateULWLAN, High; and 
BeaconRSSI > ThreshBeaconRSSIWLAN, High;
【００７８】
ここで、「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Access  Network  Query  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩ」は、ＵＥ１００で測定するＷＬＡＮ信号強度を示す。「ＴｈｒｅｓｈＣｈＵｔｉｌＷＬＡＮ，Ｌｏｗ」、「ＴｈｒｅｓｈＢａｃｋｈＲａｔｅＤＬＷＬＡＮ，Ｈｉｇｈ」、「ＴｈｒｅｓｈＢａｃｋｈＲａｔｅＵＬＷＬＡＮ，Ｈｉｇｈ」、「ＴｈｒｅｓｈＢｅａｃｏｎＲＳＳＩＷＬＡＮ，Ｈｉｇｈ」は、補助情報に含まれている閾値である。
【００７９】
次に、ＷＬＡＮからＥ−ＵＴＲＡＮへの切り替えの一例について説明する。ＵＥ１００は、ＷＬＡＮに関する第３の判定条件及びＥ−ＵＴＲＡＮに関する第４の判定条件に基づいて、ＷＬＡＮからＥ−ＵＴＲＡＮに切り替えるか否かの切り替え判定を行う。具体的には、第３の判定条件又は第４の判定条件の一方が満たされた場合、ＵＥ１００は、ＷＬＡＮからＥ−ＵＴＲＡＮへの切り替えを行う。
【００８０】
第３の判定条件は、ソースＷＬＡＮに対する以下の条件である。
【００８１】
ChannelUtilizationWLAN > ThreshChUtilWLAN, High; or
BackhaulRateDlWLAN < ThreshBackhRateDLWLAN, Low; or
BackhaulRateUlWLAN < ThreshBackhRateULWLAN, Low; or
BeaconRSSI < ThreshBeaconRSSIWLAN, Low; 
【００８２】
ここで、「ＴｈｒｅｓｈＣｈＵｔｉｌＷＬＡＮ，Ｈｉｇｈ」、「ＴｈｒｅｓｈＢａｃｋｈＲａｔｅＤＬＷＬＡＮ，Ｌｏｗ」、「ＴｈｒｅｓｈＢａｃｋｈＲａｔｅＵＬＷＬＡＮ，Ｌｏｗ」、「ＴｈｒｅｓｈＢｅａｃｏｎＲＳＳＩＷＬＡＮ，Ｌｏｗ」は、補助情報に含まれている閾値である。
【００８３】
第４の判定条件は、Ｅ−ＵＴＲＡＮターゲットセルに対する以下の条件である。
【００８４】
RSRPmeas > ThreshServingOffloadWLAN, HighP; and
RSRQmeas > ThreshServingOffloadWLAN, HighQ;
【００８５】
ここで、「ＴｈｒｅｓｈＳｅｒｖｉｎｇＯｆｆｌｏａｄＷＬＡＮ，ＨｉｇｈＰ」及び「ＴｈｒｅｓｈＳｅｒｖｉｎｇＯｆｆｌｏａｄＷＬＡＮ，ＨｉｇｈＱ」は、補助情報に含まれている閾値である。
【００８６】
Ｅ−ＵＴＲＡＮからＷＬＡＮへの切り替え条件又はＷＬＡＮからＥ−ＵＴＲＡＮへの切り替え条件が満たされた場合、ＵＥ１００のＡＳ層（第１のエンティティ）は、切り替え条件が満たされた旨を上位層（第２のエンティティ）に通知する。ここで上位層とは、例えばＮＡＳ層（又はアプリケーション層）である。
【００８７】
（２）基地局主導方式
基地局主導方式において、ｅＮＢ２００は、ＵＥ１００からの測定報告に基づいて、Ｅ−ＵＴＲＡＮ及びＷＬＡＮの中からＵＥ１００の通信対象ネットワークを選択し、通信対象ネットワークを切り替えるための切り替え指示をＵＥ１００に送信する。
【００８８】
以下において、基地局主導方式の具体例について説明する。
【００８９】
ｅＮＢ２００は、ＷＬＡＮ測定報告を設定するためのＷＬＡＮ測定設定をＵＥ１００に送信する。例えば、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージにＷＬＡＮ測定設定を含める。ＵＥ１００は、ＷＬＡＮ測定設定をｅＮＢ２００から受信する。ＷＬＡＮ測定設定は、測定対象のＷＬＡＮ  ＡＰグループと関連付けられた所定識別子を含む。所定識別子は、測定対象のＷＬＡＮ  ＡＰグループ内の各ＷＬＡＮ  ＡＰ３００の識別子と関連付けられている。
【００９０】
（２．１）動作パターン１
基地局主導方式の動作パターン１において、所定識別子は、測定対象を設定する測定対象設定の識別子である。そのような測定対象設定の識別子は、測定対象識別子（ｍｅａｓＯｂｊｅｃｔＩｄ）と称される。
【００９１】
また、基地局主導方式の動作パターン１において、ＷＬＡＮ測定設定は、測定対象のＷＬＡＮ  ＡＰグループ内の各ＷＬＡＮ  ＡＰ３００のインデックスを含む。インデックスは、ＷＬＡＮ  ＡＰ３００の識別子に比べてビット長が短い。ＷＬＡＮ  ＡＰ３００の識別子（ＷＬＡＮ識別子）は、例えば、ＳＳＩＤ、ＨＥＳＳＩＤ、又はＢＳＳＩＤ等である。
【００９２】
ＷＬＡＮ  ＡＰ３００の識別子とは別に、当該識別子よりも短いインデックスを導入し、インデックスを送受信することにより、シグナリングオーバーヘッドの削減を図ることができる。例えば、一部のＷＬＡＮ  ＡＰ３００のみを測定対象から除去（ｒｅｍｏｖｅ）する際などに、インデックスを用いて当該除去を指示することが可能になる。
【００９３】
（２．１．１）動作パターン１Ａ
基地局主導方式の動作パターン１Ａにおいて、ＷＬＡＮ測定設定は、測定対象のＷＬＡＮ  ＡＰグループ内の各ＷＬＡＮ  ＡＰ３００の識別子をさらに含む。
【００９４】
図６は、基地局主導方式の動作パターン１Ａを示すシーケンス図である。図７は、ＷＬＡＮ測定設定の構成を示す図である。図８は、基地局主導方式の動作パターン１ＡにおけるＷＬＡＮ測定設定の具体例を示す図である。なお、図８における「Ｎｅｅｄ  ＯＮ」とは、パラメータがオプショナルであることを示し、当該パラメータに対応する値が存在しない場合、ＵＥ１００は現在設定されている値を使用し続ける。
【００９５】
図６に示すように、ステップＳ１０１において、ｅＮＢ２００は、ＷＬＡＮ測定設定をＵＥ１００に送信する。ＵＥ１００は、ＷＬＡＮ測定設定を受信する。
【００９６】
図７に示すように、ＷＬＡＮ測定設定（ＭｅａｓＣｏｎｆｉｇ）は、測定対象（ＭｅａｓＯｂｊｅｃｔ）、報告設定（ＲｅｐｏｒｔＣｏｎｆｉｇ）、及び測定識別子（ＭｅａｓＩＤ）を含む。測定識別子（ＭｅａｓＩＤ）は、測定対象（ＭｅａｓＯｂｊｅｃｔ）と報告設定（ＲｅｐｏｒｔＣｏｎｆｉｇ）とを関連付ける。具体的には、測定識別子（ＭｅａｓＩＤ）は、測定対象（ＭｅａｓＯｂｊｅｃｔ）設定の識別子（ＭｅａｓＯｂｊｅｃｔＩＤ）と報告設定（ＲｅｐｏｒｔＣｏｎｆｉｇ）の識別子（ＲｅｐｏｒｔＣｏｎｆｉｇＩＤ）との組み合わせを示し、ＵＥ１００に測定させる測定対象と報告設定との組み合わせを識別するものである。
【００９７】
図８に示すように、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【００９８】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。
【００９９】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。図８において、測定対象ＷＬＡＮ周波数（ｗｌａｎｃａｒｒｉｅｒＦｒｅｑ）が２．４ＧＨｚ又は５ＧＨｚである一例を示している。測定対象から除去するＷＬＡＮ  ＡＰのリスト（ｗｌａｎｓＴｏＲｅｍｏｖｅＬｉｓｔ）は、ＷＬＡＮ  ＡＰのインデックスのリスト（ｗｌａｎＩｎｄｅｘＬｉｓｔ）を含む。
【０１００】
測定対象に追加・変更するＷＬＡＮ  ＡＰのリスト（ｗｌａｎｓＴｏＡｄｄＭｏｄＬｉｓｔ）に含まれる各ＷＬＡＮ  ＡＰ情報（ＷｌａｎｓＴｏＡｄｄＭｏｄ）は、各ＷＬＡＮ  ＡＰのインデックス（ｗｌａｎＩｎｄｅｘ）及び識別子（ｗｌａｎ−Ｉｄｅｎｔｉｆｉｅｒｓ−ｒ１３）を含む。
【０１０１】
ＷＬＡＮ測定設定（ＭｅａｓＣｏｎｆｉｇ）に含まれる報告設定（ＲｅｐｏｒｔＣｏｎｆｉｇ）は、ＷＬＡＮ測定報告のトリガーの種類（ＴｒｉｇｇｅｒＴｙｐｅ）等を含む。実施形態において、ＷＬＡＮ測定報告をイベント発生時に送信する「ｅｖｅｎｔ  ｔｒｉｇｇｅｒ  ｒｅｐｏｒｔｉｎｇ」を主として想定する。そのようなイベントとしては、ＷＬＡＮの品質が閾値よりも高くなったというイベント、及びＷＬＡＮの品質が閾値よりも低くなったというイベントが挙げられる。或いは、ＬＴＥの品質が閾値１よりも低くなり、かつ、ＷＬＡＮの品質が閾値２よりも高くなったというイベントであってもよい。ＬＴＥの品質が閾値１よりも高くなり、かつ、ＷＬＡＮの品質が閾値２よりも低くなったというイベントであってもよい。現在のＷＬＡＮの品質が閾値１よりも低くなり、かつ、他のＷＬＡＮの品質が閾値２よりも高くなったというイベントであってもよい。
【０１０２】
図１に示すような状況において、ＵＥ１００がＷＬＡＮ  ＡＰグループＢのカバレッジに移動することをｅＮＢ２００が把握したい場合を想定する。この場合、ｅＮＢ２００は、追加・変更する測定対象のリスト（ＭｅａｓＯｂｊｅｃｔＴｏＡｄｄＭｏｄＬｉｓｔ）に、ＷＬＡＮ  ＡＰグループＢに対応する測定対象識別子（ｍｅａｓＯｂｊｅｃｔＩｄ）及び測定対象（ｍｅａｓＯｂｊｅｃｔ）を含める。また、ｅＮＢ２００は、ＷＬＡＮ  ＡＰグループＢに対応する測定対象識別子（ｍｅａｓＯｂｊｅｃｔＩｄ）に、ＷＬＡＮの品質が閾値よりも高くなったというイベントを含む報告設定（ＲｅｐｏｒｔＣｏｎｆｉｇ）を組み合わせる。これにより、ＵＥ１００は、ＷＬＡＮ  ＡＰグループＢに含まれるＷＬＡＮ  ＡＰ３００の品質が閾値よりも高くなった際に、当該ＷＬＡＮ  ＡＰ３００に関するＷＬＡＮ測定報告をｅＮＢ２００に送信する。
【０１０３】
図６に示すように、ステップＳ１０２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。ＷＬＡＮ測定における測定パラメータとしては、例えば、「ＣｈａｎｎｅｌＵｔｉｌｉｚａｔｉｏｎＷＬＡＮ」、「ＢａｃｋｈａｕｌＲａｔｅＤｌＷＬＡＮ」、「ＢａｃｋｈａｕｌＲａｔｅＵｌＷＬＡＮ」、「ＢｅａｃｏｎＲＳＳＩ」等が挙げられる。「ＣｈａｎｎｅｌＵｔｉｌｉｚａｔｉｏｎＷＬＡＮ」はＷＬＡＮビーコン又はプローブ応答に含まれており、ＷＬＡＮチャネル使用率、すなわちＷＬＡＮ無線負荷レベルを示す。「ＢａｃｋｈａｕｌＲａｔｅＤｌＷＬＡＮ」及び「ＢａｃｋｈａｕｌＲａｔｅＵｌＷＬＡＮ」は、ＡＮＱＰ（Ａｃｃｅｓｓ  Ｎｅｔｗｏｒｋ  Ｑｕｅｒｙ  Ｐｒｏｔｏｃｏｌ）により提供され、ＷＬＡＮバックホールの利用可能伝送レート、すなわちＷＬＡＮバックホール負荷レベルを示す。「ＢｅａｃｏｎＲＳＳＩ」は、ＵＥ１００で測定するＷＬＡＮ信号強度を示す。ＷＬＡＮ測定における測定パラメータの種類は、報告設定（ＲｅｐｏｒｔＣｏｎｆｉｇ）により指定されてもよい。
【０１０４】
ステップＳ１０３において、ＵＥ１００は、ＷＬＡＮ測定に基づいて、報告設定（ＲｅｐｏｒｔＣｏｎｆｉｇ）により指定されたイベントが発生したと判断する。
【０１０５】
ステップＳ１０４において、ＵＥ１００は、ＷＬＡＮ測定報告をｅＮＢ２００に送信する。ｅＮＢ２００は、ＷＬＡＮ測定報告を受信する。ＷＬＡＮ測定報告は、測定識別子（ＭｅａｓＩＤ）、ＷＬＡＮ  ＡＰ識別子（ＷＬＡＮ識別子）、及びＷＬＡＮ測定結果等を含む。測定識別子（ＭｅａｓＩＤ）は測定対象識別子（ｍｅａｓＯｂｊｅｃｔＩｄ）と関連付けられているため、ｅＮＢ２００は、測定識別子（ＭｅａｓＩＤ）に基づいてＷＬＡＮ  ＡＰグループを識別することができる。或いは、ＷＬＡＮ測定報告は、測定対象識別子（ｍｅａｓＯｂｊｅｃｔＩｄ）を含んでもよい。或いは、シグナリングオーバーヘッドの削減を図るために、ＷＬＡＮ測定報告は、ＷＬＡＮ  ＡＰの識別子（ＷＬＡＮ識別子）に代えて、ＷＬＡＮ  ＡＰのインデックス（ＷＬＡＮインデックス）を含んでもよい。
【０１０６】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【０１０７】
ステップＳ１０５において、ｅＮＢ２００は、決定したＷＬＡＮ  ＡＰ３００の識別子（ＷＬＡＮ識別子）を含む切り替え指示をＵＥ１００に送信する。ここでＷＬＡＮ  ＡＰの識別子（ＷＬＡＮ識別子）に代えて、ＷＬＡＮ  ＡＰのインデックス（ＷＬＡＮインデックス）を用いてもよい。ＵＥ１００は、切り替え指示を受信する。そのような切り替え指示は、「Ｓｔｅｅｒｉｎｇ  ｃｏｍｍａｎｄ」と称されることがある。実施形態において、切り替え指示が、一のＷＬＡＮ  ＡＰ３００から他のＷＬＡＮ  ＡＰ３００に対してＷＬＡＮ通信を切り替えるための指示である場合を想定する。具体的には、切り替え指示は、一のＷＬＡＮ  ＡＰグループに属するＷＬＡＮ  ＡＰ３００から他のＷＬＡＮ  ＡＰグループに属するＷＬＡＮ  ＡＰ３００に対してＷＬＡＮ通信を切り替えるための指示であってもよい。但し、切り替え指示は、ｅＮＢ２００からＷＬＡＮ  ＡＰ３００に対して通信（データ）を切り替えるための指示であってもよい。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。「ＷＬＡＮ  Ａｇｇｒｅｇａｔｉｏｎ」の開始指示は、「ＲＲＣ  Ｃｏｎｎｅｃｔｉｏｎ  Ｒｅｃｏｎｆｉｇｕｒａｔｉｏｎ」メッセージによりｅＮＢ２００からＵＥ１００に送信されてもよい。
【０１０８】
ステップＳ１０６において、ＵＥ１００は、切り替え指示により指定されたＷＬＡＮ  ＡＰ３００への切り替えを行う。ＵＥ１００は、切り替え指示に対する肯定応答又は否定応答をｅＮＢ２００に送信してもよい。
【０１０９】
（２．１．２）動作パターン１Ｂ
基地局主導方式の動作パターン１Ｂにおいて、ｅＮＢ２００は、ＷＬＡＮ測定設定とは異なる通知情報をブロードキャスト又はユニキャストでＵＥ１００に送信する。通知情報は、複数のＷＬＡＮ  ＡＰ３００のそれぞれのインデックス及び識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）から通知情報を受信する。
【０１１０】
このように、各ＷＬＡＮ  ＡＰ３００のインデックス及び識別子の対応関係をＷＬＡＮ測定設定とは別にＵＥ１００に通知する。これにより、ＷＬＡＮ  ＡＰ３００の識別子をＷＬＡＮ測定設定に含める必要がなく、ＷＬＡＮ  ＡＰ３００のインデックスをＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【０１１１】
図９は、基地局主導方式の動作パターン１Ｂを示すシーケンス図である。ここでは、基地局主導方式の動作パターン１Ａとの相違点を主として説明する。
【０１１２】
図９に示すように、ステップＳ１３１において、ｅＮＢ２００は、自カバレッジに存在する複数のＷＬＡＮ  ＡＰ３００のそれぞれのインデックス及び識別子を含む通知情報をブロードキャスト又はユニキャストでＵＥ１００に送信する。ＵＥ１００は、通知情報を受信して、受信した通知情報を記憶する。
【０１１３】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。ＷＬＡＮ  ＡＰグループがＵＥ専用ではなく共通の場合、すなわち、どのＵＥ１００に対してもＷＬＡＮ  ＡＰのグルーピングがセル内で共通の場合、ＳＩＢで提供した方がリソース削減になる。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【０１１４】
ステップＳ１３２において、ｅＮＢ２００は、ＷＬＡＮ測定設定をＵＥ１００に送信する。ＵＥ１００は、ＷＬＡＮ測定設定を受信する。基地局主導方式の動作パターン１Ｂにおいて、ＷＬＡＮ測定設定（具体的には、ＭｅａｓＯｂｊｅｃｔＷＬＡＮ）は、ＷＬＡＮ  ＡＰ３００のインデックスを含むが、ＷＬＡＮ  ＡＰ３００の識別子を含まない。その他の点については、動作パターン１ＡにおけるＷＬＡＮ測定設定と同様である。ＵＥ１００は、記憶している通知情報に基づいて、ＷＬＡＮ測定設定に含まれるＷＬＡＮ  ＡＰ３００のインデックスに対応するＷＬＡＮ識別子を導出する。
【０１１５】
その後の動作（ステップＳ１３３乃至Ｓ１３７）については、基地局主導方式の動作パターン１Ａと同様である。
【０１１６】
（２．２）動作パターン２
基地局主導方式の動作パターン２において、測定対象のＷＬＡＮ  ＡＰグループと関連付けられた所定識別子は、測定対象のＷＬＡＮ  ＡＰグループのグループ識別子である。
【０１１７】
（２．２．１）動作パターン２Ａ
基地局主導方式の動作パターン２Ａにおいて、ＷＬＡＮ測定設定は、測定対象のＷＬＡＮ  ＡＰグループ内の各ＷＬＡＮ  ＡＰ３００の識別子をさらに含む。
【０１１８】
図１０は、基地局主導方式の動作パターン２Ａを示すシーケンス図である。ここでは、基地局主導方式の動作パターン１Ａとの相違点を主として説明する。
【０１１９】
図１０に示すように、ステップＳ１５１において、ｅＮＢ２００は、ＷＬＡＮ測定設定をＵＥ１００に送信する。ＵＥ１００は、ＷＬＡＮ測定設定を受信する。
【０１２０】
基地局主導方式の動作パターン２Ａにおいて、ＷＬＡＮ測定設定（ＭｅａｓＣｏｎｆｉｇ）に含まれる測定対象（ＭｅａｓＯｂｊｅｃｔ）は、除去する測定対象のリスト（ＭｅａｓＯｂｊｅｃｔＴｏＲｅｍｏｖｅＬｉｓｔ）、及び追加・変更する測定対象のリスト（ＭｅａｓＯｂｊｅｃｔＴｏＡｄｄＭｏｄＬｉｓｔ）を含む。
【０１２１】
追加・変更する測定対象のリスト（ＭｅａｓＯｂｊｅｃｔＴｏＡｄｄＭｏｄＬｉｓｔ）に含まれる各測定対象（ＭｅａｓＯｂｊｅｃｔＴｏＡｄｄＭｏｄ）は、測定対象識別子（ｍｅａｓＯｂｊｅｃｔＩｄ）及び測定対象（ｍｅａｓＯｂｊｅｃｔ）を含む。測定対象（ｍｅａｓＯｂｊｅｃｔ）は、測定対象ＷＬＡＮ（ＭｅａｓＯｂｊｅｃｔＷＬＡＮ）を含む。測定対象ＷＬＡＮ（ＭｅａｓＯｂｊｅｃｔＷＬＡＮ）は、グループ識別子を含む。
【０１２２】
測定対象ＷＬＡＮ（ＭｅａｓＯｂｊｅｃｔＷＬＡＮ）は、測定対象ＷＬＡＮ周波数（ｗｌａｎｃａｒｒｉｅｒＦｒｅｑ）、測定対象から除去するＷＬＡＮ  ＡＰのリスト（ｗｌａｎｓＴｏＲｅｍｏｖｅＬｉｓｔ）、及び測定対象に追加・変更するＷＬＡＮ  ＡＰのリスト（ｗｌａｎｓＴｏＡｄｄＭｏｄＬｉｓｔ）を含む。測定対象から除去するＷＬＡＮ  ＡＰのリスト（ｗｌａｎｓＴｏＲｅｍｏｖｅＬｉｓｔ）は、ＷＬＡＮ  ＡＰの識別子（ＷＬＡＮ識別子）のリストを含む。ｗｌａｎｓＴｏＡｄｄＭｏｄＬｉｓｔに含まれる各ＷＬＡＮ  ＡＰ情報（ＷｌａｎｓＴｏＡｄｄＭｏｄ）は、各ＷＬＡＮ  ＡＰの識別子（ｗｌａｎ−Ｉｄｅｎｔｉｆｉｅｒｓ−ｒ１３）を含む。
【０１２３】
ステップＳ１５２において、ＵＥ１００は、ＷＬＡＮ測定設定（ＭｅａｓＣｏｎｆｉｇ）に基づいて、測定識別子（ＭｅａｓＩＤ）で示された測定を行う。具体的には、ＵＥ１００は、測定識別子（ＭｅａｓＩＤ）に対応する測定対象ＷＬＡＮ（ＭｅａｓＯｂｊｅｃｔＷＬＡＮ）に対するＷＬＡＮ測定を行う。
【０１２４】
ステップＳ１５３において、ＵＥ１００は、ＷＬＡＮ測定に基づいて、報告設定（ＲｅｐｏｒｔＣｏｎｆｉｇ）により指定されたイベントが発生したと判断する。
【０１２５】
ステップＳ１５４において、ＵＥ１００は、ＷＬＡＮ測定報告をｅＮＢ２００に送信する。ｅＮＢ２００は、ＷＬＡＮ測定報告を受信する。ＷＬＡＮ測定報告は、グループ識別子、ＷＬＡＮ  ＡＰ識別子（ＷＬＡＮ識別子）、及びＷＬＡＮ測定結果等を含む。ｅＮＢ２００は、グループ識別子に基づいてＷＬＡＮ  ＡＰグループを識別することができる。なお、ＷＬＡＮ測定報告は、ＷＬＡＮ  ＡＰ識別子（ＷＬＡＮ識別子）を含むが、グループ識別子を含まないとしてもよい。ｅＮＢ２００がＷＬＡＮ識別子を受け取ることでＷＬＡＮ  ＡＰグループを一意に特定できるのであれば、グループ識別子が不要である可能性があるからである。或いは、ＷＬＡＮ測定報告は、グループ識別子を含むが、ＷＬＡＮ識別子を含まないとしてもよい。ＵＥ１００がＷＬＡＮに初期接続する場合には、ＷＬＡＮ識別子までは必要としない可能性があるからである。
【０１２６】
ｅＮＢ２００は、ＷＬＡＮ測定報告に基づいて、測定対象のＷＬＡＮ  ＡＰグループのカバレッジにＵＥ１００が移動したことを把握する。また、ｅＮＢ２００は、測定対象のＷＬＡＮ  ＡＰグループに含まれるＷＬＡＮ  ＡＰ３００のうち、ＵＥ１００とのＷＬＡＮ通信を行うべきＷＬＡＮ  ＡＰ３００を決定する。
【０１２７】
ステップＳ１５５において、ｅＮＢ２００は、決定したＷＬＡＮ  ＡＰ３００の識別子（ＷＬＡＮ識別子）を含む切り替え指示をＵＥ１００に送信する。ＵＥ１００は、切り替え指示を受信する。或いは、シグナリングオーバーヘッドの削減を図るために、切り替え指示は、ＷＬＡＮ  ＡＰの識別子（ＷＬＡＮ識別子）に代えて、グループ識別子を含んでもよい。また、１つのＷＬＡＮ  ＡＰが２つ以上のグループに属しているような特殊ケースを想定した場合、当該１つのＷＬＡＮ  ＡＰを媒介して、ＵＥ１００が数珠つなぎのように複数グループを勝手に行き来してしまう虞がある。切り替え指示において、トラフィックを移行する「グループ」を明示的に指定することで、このような動作を防ぐ効果が期待される。
【０１２８】
ステップＳ１５６において、ＵＥ１００は、切り替え指示により指定されたＷＬＡＮ  ＡＰ３００（又は指定されたＷＬＡＮ  ＡＰグループ）への切り替えを行う。或いは、切り替え指示は、ｅＮＢ２００との通信及びＡＰ３００との通信をＵＥ１００が同時に行う「ＷＬＡＮ  Ａｇｇｒｅｇａｔｉｏｎ」を開始させる指示であってもよい。ＵＥ１００は、切り替え指示に対する肯定応答又は否定応答をｅＮＢ２００に送信してもよい。
【０１２９】
（２．２．２）動作パターン２Ｂ
基地局主導方式の動作パターン２Ｂにおいて、ｅＮＢ２００は、ＷＬＡＮ測定設定とは異なる通知情報をブロードキャスト又はユニキャストでＵＥ１００に送信する。通知情報は、ＷＬＡＮ  ＡＰグループのグループ識別子、及び、当該ＷＬＡＮ  ＡＰグループ内の各ＷＬＡＮ  ＡＰ３００の識別子を含む。ＵＥ１００は、通知情報を受信する。或いは、ＵＥ１００は、ｅＮＢ２００を介してＥＰＣ５００（コアネットワーク）から通知情報を受信してもよい。例えば、ＵＥ１００は、ＥＰＣ５００に設けられたＡＮＤＳＦから通知情報を受信する。
【０１３０】
このように、ＷＬＡＮ  ＡＰグループのグループ識別子と当該ＷＬＡＮ  ＡＰグループ内の各ＷＬＡＮ  ＡＰ３００の識別子との対応関係をＷＬＡＮ測定設定とは別にＵＥ１００に通知する。これにより、ＷＬＡＮ  ＡＰ３００の識別子をＷＬＡＮ測定設定に含める必要がなく、測定対象のＷＬＡＮ  ＡＰグループのグループ識別子をＷＬＡＮ測定設定に含めればよい。よって、ＷＬＡＮ測定設定（具体的には、ＭｅａｓＯｂｊｅｃｔＷＬＡＮ）のサイズを小さくすることができる。特に、ＷＬＡＮ測定設定（具体的には、ＭｅａｓＯｂｊｅｃｔＷＬＡＮ）を頻繁に更新する場合、シグナリングオーバーヘッドの削減効果が大きい。
【０１３１】
図１１は、基地局主導方式の動作パターン２Ｂを示すシーケンス図である。ここでは、基地局主導方式の動作パターン２Ａとの相違点を主として説明する。
【０１３２】
図１１に示すように、ステップＳ１７１において、ｅＮＢ２００は、自カバレッジに存在するＷＬＡＮ  ＡＰグループのグループ識別子及び当該ＷＬＡＮ  ＡＰグループ内の各ＷＬＡＮ  ＡＰ３００の識別子を含む通知情報をブロードキャスト又はユニキャストでＵＥ１００に送信する。ＵＥ１００は、通知情報を受信して、受信した通知情報を記憶する。
【０１３３】
ブロードキャスト送信の場合、ｅＮＢ２００は、例えばＳＩＢ（Ｓｙｓｔｅｍ  Ｉｎｆｏｒｍａｔｉｏｎ  Ｂｌｏｃｋ）に通知情報を含める。一方、ユニキャスト送信の場合、ｅＮＢ２００は、ＵＥ１００宛ての専用ＲＲＣシグナリングである「ＲＲＣ  Ｃｏｎｎｅｃｔｉｏｎ  Ｒｅｃｏｎｆｉｇｕｒａｔｉｏｎ」メッセージに通知情報を含める。
【０１３４】
ステップＳ１７２において、ｅＮＢ２００は、ＷＬＡＮ測定設定をＵＥ１００に送信する。ＵＥ１００は、ＷＬＡＮ測定設定を受信する。基地局主導方式の動作パターン２Ｂにおいて、ＷＬＡＮ測定設定（具体的には、ＭｅａｓＯｂｊｅｃｔＷＬＡＮ）は、測定対象のＷＬＡＮ  ＡＰグループのグループ識別子を含むが、ＷＬＡＮ  ＡＰ３００の識別子を含まない。その他の点については、動作パターン２ＡにおけるＷＬＡＮ測定設定と同様である。ＵＥ１００は、記憶している通知情報に基づいて、ＷＬＡＮ測定設定に含まれるグループ識別子に対応する各ＷＬＡＮ識別子を導出する。
【０１３５】
その後の動作（ステップＳ１７３乃至Ｓ１７７）については、基地局主導方式の動作パターン２Ａと同様である。
【０１３６】
（２．３）切り替え指示を受信したＵＥ１００の動作
以下において、ｅＮＢ２００から切り替え指示を受信したＵＥ１００の動作を説明する。図１２は、切り替え指示を受信したＵＥ１００の動作を示すシーケンス図である。
【０１３７】
図１２に示すように、ＵＥ１００は、ｅＮＢ２００とのＷＷＡＮ通信を行う第１のエンティティ１３１と、第１のエンティティ１３１よりも上位層に位置付けられる第２のエンティティ１３２と、を含む。第１のエンティティ１３１及び第２のエンティティ１３２は、ＵＥ１００の制御部１３０に含まれる。第１のエンティティ１３１は、ＡＳ層エンティティである。第１のエンティティ１３１は、ＡＳ層エンティティのうちＲＲＣ層エンティティであってもよい。第２のエンティティ１３２は、ＮＡＳ層エンティティである。第２のエンティティ１３２は、アプリケーション層エンティティであってもよい。
【０１３８】
ステップＳ１９１において、第１のエンティティ１３１は、ＵＥ１００のデータについて通信対象ネットワークをＷＷＡＮ（Ｅ−ＵＴＲＡＮ）とＷＬＡＮとの間で切り替えるための切り替え指示をｅＮＢ２００から受信する。切り替え指示は、ＵＥ１００宛ての専用ＲＲＣシグナリング（例えば、「ＲＲＣ  Ｃｏｎｎｅｃｔｉｏｎ  Ｒｅｃｏｎｆｉｇｕｒａｔｉｏｎ」メッセージ）によりｅＮＢ２００から送信される。ここでは、Ｅ−ＵＴＲＡＮからＷＬＡＮへの切り替え指示を想定する。切り替え指示は、接続対象のＷＬＡＮに関する識別子を含む。接続対象のＷＬＡＮに関する識別子とは、ＷＬＡＮ  ＡＰ３００の識別子（ＷＬＡＮ識別子）、ＷＬＡＮ  ＡＰ３００のインデックス（ＷＬＡＮインデックス）、ＷＬＡＮ  ＡＰグループの識別子（グループ識別子）のうち少なくとも１つである。
【０１３９】
ステップＳ１９２において、第１のエンティティ１３１は、ｅＮＢ２００から切替え指示を受信したことに応じて、通信対象ネットワークの切り替えを示すインジケータ（ｍｏｖｅ−ｔｒａｆｆｉｃ−ｔｏ−ＷＬＡＮ）を第２のエンティティ１３２に通知する。
【０１４０】
実施形態に係る通信システムにおいて、ＷＷＡＮ及びＷＬＡＮの中から通信対象ネットワークを選択するネットワーク選択を第１のエンティティ１３１が行う端末主導方式、及び当該ネットワーク選択をｅＮＢ２００が行う基地局主導方式が規定されている。切り替え指示をｅＮＢ２００から受信した場合、第１のエンティティ１３１は、基地局主導方式が適用されていることを識別可能なインジケータを第２のエンティティ１３２に通知する。
【０１４１】
ここで、基地局主導方式が適用されていることを識別可能なインジケータは、基地局主導方式に専用のインジケータである。例えば、当該インジケータは、ｍｏｖｅ−ｔｒａｆｆｉｃ−ｔｏ−ＷＬＡＮ−ｒ１３である。
【０１４２】
或いは、基地局主導方式が適用されていることを識別可能なインジケータは、端末主導方式におけるインジケータに基地局主導方式を示す情報が付加されたものである。例えば、第１のエンティティ１３１は、リリース１２のｍｏｖｅ−ｔｒａｆｆｉｃ−ｔｏ−ＷＬＡＮ（端末主導方式におけるインジケータ）に、「Ｐｒｅｆｅｒｅｎｃｅ  ｉｎｄｉｃａｔｏｒ」を付加する。「Ｐｒｅｆｅｒｅｎｃｅ  ｉｎｄｉｃａｔｏｒ」とは、例えば特殊なＯＰＩ（Ｏｆｆｌｏａｄ  Ｐｒｅｆｅｒｅｎｃｅ  Ｉｎｄｉｃａｔｏｒ）である。
【０１４３】
このように、基地局主導方式が適用されていることを識別可能なインジケータを第２のエンティティ１３２に通知することにより、第２のエンティティ１３２は、通信対象ネットワークを切り替えるか否かの判断を適切に行うことができる。具体的には、基地局主導方式により通信対象ネットワークの切り替えを指示された場合、通信対象ネットワークを切り替える必要性が高いと判断し、通信対象ネットワークを切り替える処理を行うことができる。
【０１４４】
また、切り替え指示がＷＷＡＮからＷＬＡＮへの切り替えを指示する場合、切り替え指示は、接続対象のＷＬＡＮに関する識別子を含む。第１のエンティティ１３１は、インジケータを第２のエンティティ１３２に通知する際に、切り替え指示に含まれる接続対象のＷＬＡＮに関する識別子を第２のエンティティ１３２に通知する。
【０１４５】
第２のエンティティ１３２は、第１のエンティティ１３１からインジケータを受信したことに応じて、通信対象ネットワークをＷＷＡＮからＷＬＡＮに切り替えるか否かを判断する。通信対象ネットワークをＷＷＡＮからＷＬＡＮに切り替えると判断した場合、第２のエンティティ１３２は、接続対象ＷＬＡＮに関する識別子に基づいて接続対象ＷＬＡＮに接続することにより、通信対象ネットワークをＷＷＡＮからＷＬＡＮに切り替える処理を行う。
【０１４６】
ステップＳ１９３において、第２のエンティティ１３２は、第１のエンティティ１３１に応答を通知する。
【０１４７】
ステップＳ１９４において、第１のエンティティ１３１は、第２のエンティティ１３２からの応答に基づいて、ｅＮＢ２００に応答を通知する。
【０１４８】
例えば、ＷＬＡＮに接続したことを第２のエンティティ１３２から通知された場合、第１のエンティティ１３１は、ＷＬＡＮに接続したことを示す報告（ＷＬＡＮ  ｃｏｎｎｅｃｔｉｏｎ  ｃｏｍｐｌｅｔｅ  ｒｅｐｏｒｔ）をｅＮＢ２００に送信する。
【０１４９】
或いは、切り替え指示に従わない旨及びその理由が第２のエンティティ１３２から通知された場合、第１のエンティティ１３１は、切り替え指示に従わない理由を示す情報（Ｃａｕｓｅ  ｖａｌｕｅ）をｅＮＢ２００に送信する。「Ｃａｕｓｅ  ｖａｌｕｅ」としては、「ｎｏｔＯｆｆｌｏａｄａｂｌｅＰＤＮ」、「ｕｐｐｌｅｒＬａｙｅｒＤｅｃｉｓｉｏｎ」、「ＡＮＤＳＦＣｏｎｆｌｉｃｔｉｏｎ」等が挙げられる。ここで、「ｎｏｔＯｆｆｌｏａｄａｂｌｅＰＤＮ」は、オフロードが許可されていないＰＤＮ（Ｐａｃｋｅｔ  Ｄａｔａ  Ｎｅｔｗｏｒｋ）であったため切り替えができなかった場合に用いられる。「ｕｐｐｌｅｒＬａｙｅｒＤｅｃｉｓｉｏｎ」は第２のエンティティ１３２の任意の判断で切り替えができなかった場合に用いられる。「ＡＮＤＳＦＣｏｎｆｌｉｃｔｉｏｎ」は、ＡＮＤＳＦの判断と切り替え指示の内容が合致しなかった場合に用いられる。
【０１５０】
或いは、切替え指示で指定された接続対象ＷＬＡＮとは異なるＷＬＡＮに接続した旨及び接続したＷＬＡＮに関する識別子が第２のエンティティ１３２から通知された場合、第１のエンティティ１３１は、接続したＷＬＡＮに関する識別子をｅＮＢ２００に送信してもよい。接続したＷＬＡＮに関する識別子とは、ＷＬＡＮ識別子、ＷＬＡＮインデックス、グループ識別子のうち少なくとも１つである。
【０１５１】
（端末主導方式及び基地局主導方式の併用）
以下において、端末主導方式及び基地局主導方式を併用する場合について説明する。
【０１５２】
図１３は、端末主導方式及び基地局主導方式を併用する動作を説明するための図である。
【０１５３】
上述したように、端末主導方式において、ｅＮＢ２００は、ブロードキャストシグナリング（ブロードキャストＲＲＣシグナリング）又は専用シグナリング（専用ＲＲＣシグナリング）により、補助情報（ＲＡＮ  ａｓｓｉｓｔａｎｃｅ  ｐａｒａｍｅｔｅｒｓ）をＵＥ１００に送信する。以下において、ブロードキャストシグナリングにより送信される補助情報を「ブロードキャスト補助情報」と称する。専用シグナリングにより送信される補助情報を「専用補助情報」と称する。
【０１５４】
これに対し、基地局主導方式において、ｅＮＢ２００は、専用シグナリング（専用ＲＲＣシグナリング）により、ＷＬＡＮ測定設定をＵＥ１００に送信する。
【０１５５】
よって、ネットワーク選択のためにｅＮＢ２００からＵＥ１００に行われるシグナリングとして、ブロードキャスト補助情報、専用補助情報、ＷＬＡＮ測定設定の３つのシグナリングが存在する。しかしながら、これらの３つのシグナリングをどのように用いるかが明確ではない。
【０１５６】
以下において、端末主導方式及び基地局主導方式を併用する場合の動作パターン１乃至３を説明する。動作パターン１乃至３は、ｅＮＢ２００がブロードキャスト補助情報を送信する点で共通する。ＲＲＣアイドルモードのＵＥ１００は、ブロードキャスト補助情報に基づいて端末主導方式のネットワーク選択を行う。
【０１５７】
（１）動作パターン１
動作パターン１において、ｅＮＢ２００は、ブロードキャスト補助情報を送信する。ＲＲＣアイドルモードのＵＥ１００及びＲＲＣコネクティッドモードのＵＥ１００は、ブロードキャスト補助情報を受信し、ブロードキャスト補助情報に基づいて端末主導方式のネットワーク選択を行う。
【０１５８】
動作パターン１において、ＲＲＣコネクティッドモードのＵＥ１００は、専用補助情報の送信又はＷＬＡＮ測定設定の送信を要求する要求情報をｅＮＢ２００に送信してもよい。ＵＥ１００は、ｅＮＢ２００から要求情報を送信するように指示されたこと、ＷＬＡＮ通信部１２０をオンにしたこと、アプリケーション層からの指示（ユーザーの選択）があったことの何れかをトリガーとして要求情報をｅＮＢ２００に送信してもよい。要求情報は、端末主導方式及び基地局主導方式のうち少なくとも一方を指定する情報を含む。ｅＮＢ２００は、ＷＬＡＮ測定設定の送信を要求する要求情報をＵＥ１００から受信したことに応じて、ＷＬＡＮ測定設定を専用シグナリングにより送信する。また、ｅＮＢ２００は、専用補助情報の送信を要求する要求情報をＵＥ１００から受信したことに応じて、専用補助情報を専用シグナリングにより送信する。
【０１５９】
（２）動作パターン２
動作パターン２において、ｅＮＢ２００は、ブロードキャスト補助情報を送信し、ＲＲＣコネクティッドモードのＵＥ１００に対してＷＬＡＮ測定設定を専用シグナリングにより送信する。但し、動作パターン２において、ｅＮＢ２００は、専用補助情報を送信しない。
【０１６０】
動作パターン２において、ＲＲＣアイドルモードのＵＥ１００は、ブロードキャスト補助情報を受信し、ブロードキャスト補助情報に基づいて端末主導方式のネットワーク選択を行う。また、ＲＲＣコネクティッドモードのＵＥ１００は、ＷＬＡＮ測定設定を受信する。
【０１６１】
動作パターン２において、ＲＲＣコネクティッドモードのＵＥ１００は、所定のＷＬＡＮ  ＡＰグループ内においてブロードキャスト補助情報に基づいて端末主導方式のネットワーク選択を行う。また、ＲＲＣコネクティッドモードのＵＥ１００は、所定のＷＬＡＮ  ＡＰグループとは異なるＷＬＡＮ  ＡＰグループを発見した場合、ＷＬＡＮ測定設定に基づいて基地局主導方式のＷＬＡＮ測定を行う。ＵＥ１００は、異なるＷＬＡＮ  ＡＰグループのＷＬＡＮ  ＡＰ３００の発見に応じて端末主導方式から基地局主導方式に切り替えて、ＷＬＡＮ測定報告をｅＮＢ２００に送信してもよい。これにより、現在のＷＬＡＮ  ＡＰグループと異なるＷＬＡＮ  ＡＰグループのＷＬＡＮ  ＡＰ３００に切り替える際に基地局主導方式を適用することができる。
【０１６２】
或いは、動作パターン２において、ＲＲＣコネクティッドモードのＵＥ１００は、ＷＬＡＮ測定設定を受信した場合、ブロードキャスト補助情報に基づく端末主導方式のネットワーク選択を適用せずに、ＷＬＡＮ測定設定に基づいて基地局主導方式のＷＬＡＮ測定を行う。ＵＥ１００は、ＷＬＡＮ測定設定の受信に応じて、端末主導方式のネットワーク選択を中止してもよい。このように、ＵＥ１００が端末主導方式よりも基地局主導方式を優先して適用することにより、端末主導方式のネットワーク選択及び基地局主導方式のネットワーク選択の競合を回避することができる。
【０１６３】
或いは、ＲＲＣコネクティッドモードのＵＥ１００は、ブロードキャスト補助情報に含まれるＷＬＡＮ識別子のうち、ＷＬＡＮ測定設定と重複するＷＬＡＮ識別子について、ブロードキャスト補助情報に基づく端末主導方式のネットワーク選択を適用しないよう制御する。これにより、端末主導方式のネットワーク選択及び基地局主導方式のネットワーク選択の競合を回避することができる。ＷＬＡＮ測定設定と重複するＷＬＡＮ識別子とは、ＷＬＡＮ測定設定に応じて設定されたＷＬＡＮ識別子である。ＷＬＡＮ測定設定と重複するＷＬＡＮ識別子とは、ＷＬＡＮ測定設定に応じて設定されたＷＬＡＮインデックスに対応するＷＬＡＮ識別子、又はＷＬＡＮ測定設定に応じて設定されたＷＬＡＮ  ＡＰグループに含まれるＷＬＡＮ識別子であってもよい。また、ＲＲＣコネクティッドモードのＵＥ１００は、ブロードキャスト補助情報に含まれるＷＬＡＮ識別子のうち、ＷＬＡＮ測定設定と重複しないＷＬＡＮ識別子について、ブロードキャスト補助情報に基づく端末主導方式のネットワーク選択を適用してもよい。
【０１６４】
或いは、ＵＥ１００は、所定のＷＬＡＮ  ＡＰグループとは異なるＷＬＡＮグループ（又は異なるＷＬＡＮグループのＷＬＡN  ＡＰ）への移動指示をｅＮＢ２００から受けるまでは、ブロードキャスト補助情報に基づいて、端末主導方式のネットワーク選択を行う。この場合、ＵＥ１００は、異なるＷＬＡＮグループを発見してから異なるＷＬＡＮグループへの移動指示を受けるまでは、端末主導方式及び基地局主導方式を両方とも適用してもよい。なお、ＵＥ１００は、異なるＷＬＡＮグループ（又は異なるＷＬＡＮグループのＷＬＡN  ＡＰ）への移動指示をｅＮＢ２００から受けた後、基地局主導方式から端末主導方式へ切り替えてもよい。この場合、ＵＥ１００は、既に保持しているブロードキャスト補助情報に基づいて、端末主導方式のネットワーク選択を行ってもよい。
【０１６５】
（３）動作パターン３
動作パターン３において、ｅＮＢ２００は、ブロードキャスト補助情報を送信し、ＲＲＣコネクティッドモードのＵＥ１００に対して専用補助情報及びＷＬＡＮ測定設定を専用シグナリングにより送信する。
【０１６６】
動作パターン３において、ＲＲＣアイドルモードのＵＥ１００は、ブロードキャスト補助情報を受信し、ブロードキャスト補助情報に基づいて端末主導方式のネットワーク選択を行う。また、ＲＲＣコネクティッドモードのＵＥ１００は、専用補助情報及びＷＬＡＮ測定設定を受信する。
【０１６７】
動作パターン３において、ＲＲＣコネクティッドモードのＵＥ１００は、同一のＷＬＡＮ  ＡＰグループ内において専用補助情報に基づいて端末主導方式のネットワーク選択を行う。また、ＲＲＣコネクティッドモードのＵＥ１００は、異なるＷＬＡＮ  ＡＰグループを発見した場合、ＷＬＡＮ測定設定に基づいて基地局主導方式のＷＬＡＮ測定を行う。ＵＥ１００は、異なるＷＬＡＮ  ＡＰグループのＷＬＡＮ  ＡＰ３００の発見に応じて基地局主導方式に切り替えて、ＷＬＡＮ測定報告をｅＮＢ２００に送信してもよい。これにより、現在のＷＬＡＮ  ＡＰグループと異なるＷＬＡＮ  ＡＰグループのＷＬＡＮ  ＡＰ３００に切り替える際に基地局主導方式を適用することができる。
【０１６８】
また、動作パターン２で説明したように、ＲＲＣコネクティッドモードのＵＥ１００は、ブロードキャスト補助情報に含まれるＷＬＡＮ識別子のうち、ＷＬＡＮ測定設定と重複するＷＬＡＮ識別子について、ブロードキャスト補助情報に基づく端末主導方式のネットワーク選択を適用しないよう制御してもよい。但し、ＵＥ１００は、ＷＬＡＮからＷＷＡＮに切り替える場合には、端末主導方式のネットワーク選択を適用してもよい。
【０１６９】
或いは、動作パターン３において、ＲＲＣコネクティッドモードのＵＥ１００は、ＷＬＡＮ測定設定に基づくＷＬＡＮ測定の結果をｅＮＢ２００に報告する条件が満たされた後、ブロードキャスト補助情報又は専用補助情報に基づく端末主導方式のネットワーク選択を適用しないよう制御する。具体的には、ＵＥ１００は、ＷＬＡＮ測定報告のトリガーイベントが満たされたタイミング、ＷＬＡＮ測定報告を送信したタイミング、又はＷＬＡＮへの切り替え指示を受信したタイミングで、端末主導方式のネットワーク選択を停止する。これにより、基地局主導方式によりＷＬＡＮへの切り替えを行った直後に端末主導方式によりＬＴＥに切り替えることによるピンポン現象の発生を回避することができる。
【０１７０】
［その他の実施形態］
ｅＮＢ２００からの切り替え指示（図６のステップＳ１０５、図９のステップＳ１３６、図１０のステップＳ１５５、図１１のステップＳ１７６）によりＷＬＡＮを選択したＵＥ１００は、ＲＲＣコネクティッドモードからＲＲＣアイドルモードに遷移してもよい。ＵＥ１００は、ＲＲＣコネクティッドモードにおいて、ＷＬＡＮ測定報告を設定するためのＷＬＡＮ測定設定をｅＮＢ２００から受信する。ＵＥ１００は、ＲＲＣコネクティッドモードからＲＲＣアイドルモードに遷移した場合、ＲＲＣアイドルモードにおいてＷＬＡＮ測定設定を保持してもよい。具体的には、ＵＥ１００は、ｅＮＢ２００からの切り替え指示に応じてＷＬＡＮ  ＡＰ３００への切り替えを行った場合、ＲＲＣコネクティッドモードからＲＲＣアイドルモードに遷移し、ＲＲＣアイドルモードにおいてＷＬＡＮ測定設定を保持する。これにより、ＵＥ１００は、ＲＲＣアイドルモードにおいてＷＬＡＮ測定を継続することが可能となる。例えば、切り替え指示でＷＬＡＮ  ＡＰグループＡのＷＬＡＮ  ＡＰにデータを移した後にＲＲＣアイドルモードに遷移したＵＥ１００は、ＷＬＡＮ  ＡＰグループＢのＷＬＡＮ  ＡＰを見つけたときに再びＲＲＣコネクティッドモードに戻ってｅＮＢ２００に報告することができる。
【０１７１】
ＷＬＡＮ測定設定は、切り替え指示に含まれていてもよい。この場合、ＲＲＣアイドルモード用のＷＬＡＮ測定設定が定義されてもよい。
【０１７２】
ＵＥ１００は、ＷＬＡＮ測定設定を保持すべき旨の設定情報をｅＮＢ２００から受信している場合に限り、ＲＲＣアイドルモードにおいてＷＬＡＮ測定設定を保持してもよい。ｅＮＢ２００は、ＷＬＡＮ測定設定を保持すべき旨の設定情報をＷＬＡＮ測定設定と共にＵＥ１００に送信してもよいし、当該設定情報をＷＬＡＮ測定設定とは別にＵＥ１００に送信してもよい。また、ｅＮＢ２００は、ＷＬＡＮ測定設定を保持すべき旨の設定情報をブロードキャストで送信してもよいし、当該設定情報をユニキャストで送信してもよい。ＵＥ１００は、ＷＬＡＮ測定設定を保持すべき旨の設定情報をｅＮＢ２００から受信していない場合、ＲＲＣアイドルモードに遷移する際にＷＬＡＮ測定設定を破棄してもよい。
【０１７３】
或いは、ＵＥ１００は、ＷＬＡＮ測定設定を保持すべき期間を示す期間情報（タイマ値）をｅＮＢ２００から受信してもよい。ｅＮＢ２００は、期間情報をＷＬＡＮ測定設定と共にＵＥ１００に送信してもよいし、期間情報をＷＬＡＮ測定設定とは別にＵＥ１００に送信してもよい。また、ｅＮＢ２００は、期間情報をブロードキャストで送信してもよいし、当該期間情報をユニキャストで送信してもよい。ＵＥ１００は、ＲＲＣコネクティッドモードからＲＲＣアイドルモードに遷移してから、当該期間情報が示す期間にわたってＷＬＡＮ測定設定を保持する。具体的には、ＵＥ１００は、ＲＲＣアイドルモードに遷移する際に、期間情報に対応するタイマを起動し、タイマが満了するまでＷＬＡＮ測定設定を保持する。タイマが満了した際に、ＵＥ１００は、ＷＬＡＮ測定設定を破棄してもよい。
【０１７４】
ＵＥ１００は、保持しているＷＬＡＮ測定設定に基づいて、ＲＲＣアイドルモードにおいて測定対象のＷＬＡＮ  ＡＰグループに対する測定を行う。そして、ＵＥ１００は、ＲＲＣアイドルモードにおいて、測定対象のＷＬＡＮ  ＡＰグループの発見又は測定結果に基づいて、ＲＲＣアイドルモードからＲＲＣコネクティッドモードに遷移（復帰）してもよい。
【０１７５】
具体的には、ＵＥ１００は、ＷＬＡＮ測定設定で指定されたイベントが発生したタイミングで、ＲＲＣアイドルモードからＲＲＣコネクティッドモードに遷移する。この場合、ＵＥ１００は、ＲＲＣコネクティッドモードにおいてＷＬＡＮ測定報告をｅＮＢ２００に送信する。
【０１７６】
或いは、ＵＥ１００は、測定対象かつ未報告のＷＬＡＮ  ＡＰグループを発見したタイミングで、ＲＲＣアイドルモードからＲＲＣコネクティッドモードに遷移する。この場合、ＵＥ１００は、ＲＲＣコネクティッドモードにおいてＷＬＡＮ測定を行う。ＲＲＣコネクティッドモードに戻って測定をすることによる効果としては、ＷＬＡＮ測定設定で指定されたイベントが発生した際に迅速にＷＬＡＮ測定報告をｅＮＢ２００に送信することができる点等が挙げられる。
【０１７７】
ＵＥ１００は、ＲＲＣコネクティッドモードに遷移すべき旨の設定情報をｅＮＢ２００から受信している場合に限り、測定対象のＷＬＡＮ  ＡＰグループの発見又は測定結果に基づいて、ＲＲＣアイドルモードからＲＲＣコネクティッドモードに遷移してもよい。すなわち、ＲＲＣコネクティッドモードに戻るべきか否かをｅＮＢ２００が指定してもよい。ｅＮＢ２００は、ＷＬＡＮ測定設定を保持すべき旨の設定情報をＷＬＡＮ測定設定と共にＵＥ１００に送信してもよいし、当該設定情報をＷＬＡＮ測定設定とは別にＵＥ１００に送信してもよい。また、ｅＮＢ２００は、ＷＬＡＮ測定設定を保持すべき旨の設定情報をブロードキャストで送信してもよいし、当該設定情報をユニキャストで送信してもよい。
【０１７８】
ＵＥ１００は、ＲＲＣコネクティッドモードに遷移すべき旨の設定情報をｅＮＢ２００から受信していない場合、測定対象のＷＬＡＮ  ＡＰグループの発見又は測定結果に基づいてＲＲＣアイドルモードからＲＲＣコネクティッドモードに遷移しなくてもよい。この場合、ＵＥ１００は、ＲＲＣアイドルモードにおいてＷＬＡＮ測定を継続し、ＵＥ主導の切り替え制御を行ってもよい。
【０１７９】
上述した実施形態において、ＷＷＡＮシステムとしてＬＴＥシステムを例示した。しかしながら、本開示はＬＴＥシステムに限定されない。ＬＴＥシステム以外のＷＷＡＮシステムに本開示を適用してもよい。
【０１８０】
［付記］
（１．１．１）Ｒｅｌ−１２  ＵＥベースのＷＬＡＮインターワーキングとの共存
Ｒｅｌ−１２で検討されているソリューション３は、ネットワークベースのソリューション（ｎｅｔｗｏｒｋ−ｂａｓｅｄ  ｓｏｌｕｔｉｏｎ）である。一方で、Ｒｅｌ−１２インターワーキングは、ＵＥベースのソリューション（ＵＥ−ｂａｓｅｄ  ｓｏｌｕｔｉｏｎ）である。トラフィックステアリングを決定すべきエンティティ／機能／ルール／ポリシーの優先順位を検討しなれければならない。
【０１８１】
ベースラインとして、ＡＮＤＳＦポリシーは、ＲＡＮルールよりも高い優先度を有する。ＵＥのＡＳ層は、上位層へＲＡＮルールの結果を転送するだけである。そして、上位層は、ＷＬＡＮへ／からトラフィックを進ませる（ｓｔｅｅｒ）方法を決定する。
【０１８２】
互換性の観点からは、この方法は維持されるべきである。Ｒｅｌ−１３  インターワーキングは、ＵＥ  ＡＳ層が上位層へ結果を転送する方法をただ更新すべきである。
【０１８３】
ＲＡＮ２は、ＵＥ  ＡＳ層が、ＲＡＮ関連情報を上位層へ転送する方法をただ更新すべきである。
【０１８４】
Ｒｅｌ−１２のインターワーキングでは、個別のパラメータ（ｄｅｄｉｃａｔｅｄ  ｐａｒａｍｅｔｅｒｓ）は、ブロードキャストされたパラメータよりも、ＵＥにより高優先度で扱われる。同じ理由で、この優先順位は、Ｒｅｌ−１３  インターワーキングエンハンスメントで再利用されるべきである。
【０１８５】
ソリューション３は、ＲＲＣコネクティッドモードのＵＥに適用可能であり、ステアリングコマンドは、ＲＲＣメッセージを介して提供されてもよいので、Ｒｅｌ−１３  インターワーキングでのステアリングコマンドは、ＲＡＮルールの結果よりも高優先として取り扱われるべきである。ステアリングコマンドと個別のＲＡＮアシスタンスパラメータ（ＲＡＮ  ａｓｓｉｓｔａｎｃｅ  ｐａｒａｍｅｔｅｒｓ）は、個別のＲＲＣメッセージを介して、同じｅＮＢによって提供されるので、ステアリングコマンドは、個別のＲＡＮアシスタンスパラメータのＲＡＮルールの結果と矛盾することはない。
【０１８６】
Ｒｅｌ−１３  インターワーキングエンハンスメントでのステアリングコマンドは、ＲＡＮルールの結果よりも高い優先順位として扱われるべきである。
【０１８７】
ＲＲＣの既存仕様書では、ＡＳ層が上位層へ情報を転送する。このスキームは、維持されるべきである。この観点から、ＵＥは、ｅＮＢからステアリングコマンドを受信する場合、個別のパラメータを保持し、Ｒｅｌ−１２の同じスキームのように、当該パラメータを上位層へ転送すべきである。
【０１８８】
ＵＥは、ｅＮＢからステアリングコマンドを受信する場合、個別のパラメータを保持すべきである。
【０１８９】
ステアリングコマンドがＲＲＣメッセージを介してｅＮＢにより提供されることを考慮して、ＲＲＣメカニズムは、上位層へステアリングコマンドを知らせるように更新されるべきである。例えば、図１４に示す。
【０１９０】
もしＲＲＣ接続再設定メッセージ（ＲＲＣＣｏｎｎｅｃｔｉｏｎＲｅｃｏｎｆｉｇｕｒａｔｉｏｎ）が、ＷＬＡＮステアリングコマンド（ＷＬＡＮ−ＳｔｅｅｒｉｎｇＣｏｍｍａｎｄ）を含み、かつ、ＵＥが、当該メッセージに含まれる設定（ｃｏｎｆｉｇｕｒａｔｉｏｎ）に従うことが可能である場合、ＵＥは、以下の動作を実行すべきである。
【０１９１】
ＵＥは、受信したステアリング状態（ｓｔｅｅｒｉｎｇＳｔａｔｅ）を適用すべきである。
【０１９２】
ＵＥは、ＷＬＡＮ  ＩＤリスト（ＷＬＡＮ−Ｉｄ−Ｌｉｓｔ）を上位層へ転送し、転送されたＷＬＡＮ  ＩＤリストについての時間間隔ｔ−ステアリングＷＬＡＮ（ｔ−ＳｔｅｅｒｉｎｇＷＬＡＮ）に関して、ＷＬＡＮからＥ−ＵＴＲＡＮへ／Ｅ−ＵＴＲＡＮからＷＬＡＮへトラフィックを進ませるための条件が満たされることを、上位層へ通知すべきである。
【０１９３】
アイドルモード手順は、ステアリング状態がＬＴＥへかＷＬＡＮへかをさまよう挙動を避けるために、変更されるべきである。
【０１９４】
なお、米国仮出願第６２／１９８８９３号（２０１５年７月３０日出願）の全内容が、参照により、本願明細書に組み込まれている。
【図１】
2017018536.tif 000003
【図２】
2017018536.tif 000004
【図３】
2017018536.tif 000005
【図４】
2017018536.tif 000006
【図５】
2017018536.tif 000007
【図６】
2017018536.tif 000008
【図７】
2017018536.tif 000009
【図８】
2017018536.tif 000010
【図９】
2017018536.tif 000011
【図１０】
2017018536.tif 000012
【図１１】
2017018536.tif 000013
【図１２】
2017018536.tif 000014
【図１３】
2017018536.tif 000015
【図１４】
2017018536.tif 000016
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
無線端末であって、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御するよう構成される制御部を備え、
前記制御部は、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御するよう構成され、
前記トラフィックステアリングは、前記無線端末のトラフィックを一のネットワークから他のネットワークへ切り替えることを意味し、
前記第１の方式では、前記制御部は、前記Ｅ−ＵＴＲＡＮの補助により前記トラフィックステアリングを制御するよう構成され、
前記第２の方式では、前記制御部は、前記Ｅ−ＵＴＲＡＮからの指示に応じて前記トラフィックステアリングを制御するよう構成され、
前記第１の方式において前記無線端末が前記トラフィックステアリングを実行するか否かの判定に用いる第１の補助情報を前記Ｅ−ＵＴＲＡＮから受信するよう構成される受信部をさらに備え、
前記第１の補助情報は、前記Ｅ−ＵＴＲＡＮによりブロードキャストされ、
前記受信部は、前記ＷＬＡＮの識別子のリストを含むＷＬＡＮ設定情報と、前記ＷＬＡＮ設定情報を保持すべき期間を示すタイマ値と、を前記Ｅ−ＵＴＲＡＮから受信するよう構成される無線端末。
【請求項２】
前記制御部は、
前記無線端末がＲＲＣアイドルモードに遷移する際に、前記タイマ値に対応するタイマを起動し、
前記タイマが満了するまで、前記ＷＬＡＮ設定情報を保持する、ように構成される請求項１に記載の無線端末。
【請求項３】
前記制御部は、前記タイマが満了した際に、前記ＷＬＡＮ設定情報を破棄するよう構成される請求項２に記載の無線端末。
【請求項４】
前記制御部は、前記無線端末がＲＲＣアイドルモードであることに応じて、前記第１の方式に従って前記トラフィックステアリングを制御するよう構成される請求項１に記載の無線端末。
【請求項５】
前記制御部は、前記指示を受信するまでは、前記第１の方式に従って前記トラフィックステアリングを制御するよう構成される請求項１に記載の無線端末。
【請求項６】
前記制御部は、前記指示の受信に応じて、前記第１の方式に従った前記トラフィックステアリングの制御を停止するよう構成される請求項５に記載の無線端末。
【請求項７】
前記制御部は、前記指示を前記第１の補助情報に基づく判定結果よりも優先するよう構成される請求項１に記載の無線端末。
【請求項８】
前記制御部は、上位エンティティを有し、
前記指示は、前記Ｅ−ＵＴＲＡＮから前記ＷＬＡＮへの切り替えを示し、かつ、前記ＷＬＡＮに関する識別子を含み、
前記制御部は、前記ＷＬＡＮに関する識別子と共に前記Ｅ−ＵＴＲＡＮから前記ＷＬＡＮへの切り替えを示すインジケータを前記上位エンティティに通知するよう構成される請求項１に記載の無線端末。
【請求項９】
前記第１の補助情報は、前記ＷＬＡＮに関する識別子を含み、
前記制御部は、前記ＷＬＡＮに関する識別子を用いて、前記ＷＬＡＮ及び前記Ｅ−ＵＴＲＡＮにおける無線品質に基づいて、前記トラフィックステアリングを制御するよう構成される請求項１に記載の無線端末。
【請求項１０】
前記制御部は、前記指示に応じて、前記Ｅ−ＵＴＲＡＮから前記ＷＬＡＮへの前記トラフィックステアリングを実行するよう構成され、
前記指示に対する肯定応答又は否定応答を前記Ｅ−ＵＴＲＡＮへ送信する送信部をさらに備える請求項１に記載の無線端末。
【請求項１１】
前記第１の方式は、前記無線端末が、前記第１の補助情報を用いて、前記ＷＬＡＮ及び前記Ｅ−ＵＴＲＡＮにおける無線品質に基づいて、前記トラフィックステアリングの制御を前記Ｅ−ＵＴＲＡＮからの指示が無くとも開始する方式であって、
前記第２の方式は、前記無線端末が、前記Ｅ−ＵＴＲＡＮからのトラフィックステアリングの指示を契機として、前記トラフィックステアリングの制御を開始する方式である請求項１に記載の無線端末。
【請求項１２】
無線端末を制御するためのプロセッサであって、
Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御する処理を実行し、
前記処理において、
第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御し、
前記トラフィックステアリングは、前記無線端末のトラフィックを一のネットワークから他のネットワークへ切り替えることを意味し、
前記第１の方式では、前記Ｅ−ＵＴＲＡＮの補助により前記トラフィックステアリングを制御し、
前記第２の方式では、前記Ｅ−ＵＴＲＡＮからの指示に応じて前記トラフィックステアリングを制御し、
前記プロセッサは、
前記第１の方式において前記無線端末が前記トラフィックステアリングを実行するか否かの判定に用いる第１の補助情報を前記Ｅ−ＵＴＲＡＮから受信する処理と、
前記ＷＬＡＮの識別子のリストを含むＷＬＡＮ設定情報と、前記設定情報を保持すべき期間を示すタイマ値と、を前記Ｅ−ＵＴＲＡＮから受信する処理と、を実行し、
前記第１の補助情報は、前記Ｅ−ＵＴＲＡＮによりブロードキャストされるプロセッサ。
【請求項１３】
通信方法であって、
無線端末が、Ｅｖｏｌｖｅｄ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）とＷｉｒｅｌｅｓｓ  Ｌｏｃａｌ  Ａｒｅａ  Ｎｅｔｗｏｒｋ（ＷＬＡＮ）との間でのトラフィックステアリングを制御するステップを備え、
前記ステップでは、前記無線端末は、第１の方式と第２の方式との少なくとも一方に従って、前記Ｅ−ＵＴＲＡＮから前記ＷＬＡＮへ又は前記ＷＬＡＮから前記Ｅ−ＵＴＲＡＮへのトラフィックステアリングを制御し、
前記トラフィックステアリングは、前記無線端末のトラフィックを一のネットワークから他のネットワークへ切り替えることを意味し、
前記ステップにおいて、前記無線端末は、前記第１の方式では、前記制御部は、前記Ｅ−ＵＴＲＡＮの補助により前記トラフィックステアリングを制御し、
前記ステップにおいて、前記無線端末は、前記第２の方式では、前記制御部は、前記Ｅ−ＵＴＲＡＮからの指示に応じて前記トラフィックステアリングを制御し、
前記通信方法は、
前記Ｅ−ＵＴＲＡＮが、前記第１の方式において前記無線端末が前記トラフィックステアリングを実行するか否かの判定に用いる第１の補助情報をブロードキャストするステップと、
前記無線端末が、前記第１の補助情報を前記Ｅ−ＵＴＲＡＮから受信するステップと、をさらに備え、
前記通信方法は、
前記Ｅ−ＵＴＲＡＮが、前記ＷＬＡＮの識別子のリストを含むＷＬＡＮ設定情報と、前記ＷＬＡＮ設定情報を保持すべき期間を示すタイマ値と、を送信するステップと、
前記無線端末が、前記ＷＬＡＮ設定情報と前記タイマ値とを前記Ｅ−ＵＴＲＡＮから受信するステップと、をさらに備える通信方法。
【国際調査報告】
2017018536.tif 000017
2017018536.tif 000018
2017018536.tif 000019
2017018536.tif 000020